(57)【要約】【課題】デジタル複合機において、ＩＣカードなどを所持しない者についても適用でき、また、設定や操作が操作者にとって殆ど負担とならずに操作簡便に行えるセキュリティ管理の機能を提供する。【解決手段】原稿台１５及び装置の外面又は周囲を撮影できるカメラ１２を具備した画像読取り部と、原稿台１５の範囲を被写界として原稿の画像を取込む原稿撮像モード、及び装置の周囲又は原稿台１５も含めた外面を被写界として装置を操作する者の生体の少なくとも一部の画像を取込む生体撮像モードを少なくとも含んでなる撮像モードを有して、撮像モード毎に画像読取り部の撮像条件を切換えるモード制御手段とを含み備える。【選択図】図３
2006304142.tif 000002
【特許請求の範囲】
【請求項１】
書類などの原稿を画像として読取るなどの処理を行う情報処理装置であって、
原稿を載置可能な原稿台と、
前記原稿台及び当該装置の外面又は周囲を撮影できるカメラと、
前記カメラが撮影する被写体を画像として読取って画像信号を発生する画像読取り部と、
前記原稿台の範囲を被写界として原稿の画像を取込む原稿撮像モード、及び、当該装置の周囲又は前記原稿台も含めた外面を被写界として当該装置を操作する者の生体の少なくとも一部の画像を取込む生体撮像モードを少なくとも含んでなる撮像モードを有して、前記撮像モード毎に前記画像読取り部の撮像条件を切換えるモード制御手段と、
を含み備える情報処理装置。
【請求項２】
書類などの原稿を画像として読取るなどの処理を行う情報処理装置であって、
原稿を載置可能な原稿台と、
前記原稿台及び当該装置の外面又は周囲を撮影できるカメラと、
前記カメラをその被写界が可動に保持し、かつ、前記原稿台の少なくとも一部を塞ぐように移動が可能であり、また、当該部材の位置・方向等を検知する位置センサーを具備したカメラ保持部材と、
前記カメラが撮影する被写体を画像として読取って画像信号を発生する画像読取り部と、
前記原稿台の範囲を被写界として原稿の画像を取込む原稿撮像モード、及び、当該装置の周囲又は前記原稿台も含めた外面を被写界として当該装置を操作する者の生体の少なくとも一部の画像を取込む生体撮像モードを少なくとも含んでなる撮像モードを有して、前記撮像モード毎に前記画像読取り部の撮像条件を切換えるモード制御手段と、
を含み備え、
前記カメラ保持部材の位置・方向等によって撮像モードを切換えることを特徴とする情報処理装置。
【請求項３】
書類などの原稿を画像として読取るなどの処理を行う情報処理装置であって、
原稿を載置可能な原稿台と、
前記原稿台及び当該装置の外面又は周囲を撮影できるカメラと、
前記カメラが撮影する被写体を画像として読取って画像信号を発生する画像読取り部と、
前記原稿台の範囲を被写界として原稿の画像を取込む原稿撮像モード、及び、当該装置の周囲又は前記原稿台も含めた外面を被写界として当該装置を操作する者の生体の少なくとも一部の画像を取込む生体撮像モードを少なくとも含んでなる撮像モードを有して、前記撮像モード毎に前記画像読取り部の撮像条件を切換えるモード制御手段と、
当該装置で為された一連の処理毎にそれを特定するための情報と、その処理の際に前記生体撮像モードで取込んだ生体画像に係る情報とを、関連づけて、当該装置の処理履歴に係る情報として記録するログ制御手段と、
を含み備える情報処理装置。
【請求項４】
書類などの原稿を画像として読取るなどの処理を行い、及び、装置情報などの情報を出力する情報処理装置であって、
通信回線、ローカルインタフェース、メモリカード等を通して当該装置外部へ情報の少なくとも出力を行う外部インタフェース部を含み備え、
前記ログ制御手段は、当該装置の処理履歴に係る情報の記録を、前記外部インタフェース部を通して外部の装置などに対して行うことを特徴とする請求項３に記載の情報処理装置。
【請求項５】
書類などの原稿を画像として読取るなどの処理を行い、及び、装置情報などの情報を出力する情報処理装置であって、
原稿を載置可能な原稿台と、
前記原稿台及び当該装置の外面又は周囲を撮影できるカメラと、
前記カメラが撮影する被写体を画像として読取って画像信号を発生する画像読取り部と、
通信回線、ローカルインタフェース、メモリカード等を通して当該装置外部へ情報の少なくとも出力を行う外部インタフェース部と、
前記原稿台の範囲を被写界として原稿の画像を取込む原稿撮像モード、及び、当該装置の周囲又は前記原稿台も含めた外面を被写界として当該装置を操作する者の生体の少なくとも一部の画像を取込む生体撮像モードを少なくとも含んでなる撮像モードを有して、前記撮像モード毎に前記画像読取り部の撮像条件を切換えるモード制御手段と、
前記画像読取り部が少なくとも生体撮像モードで撮像している当該装置の周囲又は原稿台も含めた外面の画像信号を、前記外部インタフェース部を通して当該装置の外部へ伝送するモニター画像伝送制御手段と、
を含み備える情報処理装置。
【請求項６】
書類などの原稿を画像として読取るなどの処理を行う情報処理装置であって、
原稿を載置可能な原稿台と、
前記原稿台及び当該装置の外面又は周囲を撮影できるカメラと、
前記カメラが撮影する被写体を画像として読取って画像信号を発生する画像読取り部と、
前記原稿台の範囲を被写界として原稿の画像を取込む原稿撮像モード、及び、当該装置の周囲又は前記原稿台も含めた外面を被写界として当該装置を操作する者の生体の少なくとも一部の画像を取込む生体撮像モードを少なくとも含んでなる撮像モードを有して、前記撮像モード毎に前記画像読取り部の撮像条件を切換えるモード制御手段と、
撮像された画像を認識して当該装置の操作者を識別する認識制御手段と、
前記認識制御手段で識別された者に対して設定されている権限に基づいて、当該装置の処理及び係る操作の機能を拡張し若しくは制限し又は切換える機能制御手段と、
を含み備える情報処理装置。
【請求項７】
前記生体撮像モードは、前記画像読取り部が撮像している被写体を前記認識制御手段が認識可能な生体と判断した時に、その被写体の画像を取込むことを特徴とする請求項６記載の情報処理装置。
【請求項８】
前記生体は、顔、手首より先の手のひら、手の甲若しくは指、手首より先の血管、又は指紋であることを特徴とする請求項６又は７記載の情報処理装置。
【請求項９】
書類などの原稿を画像として読取るなどの処理を行い、及び、制御情報などの情報を入力する情報処理装置であって、
通信回線、ローカルインタフェース、メモリカード等を通して当該装置外部から情報の少なくとも入力を行う外部インタフェース部を含み備え、
前記認識制御手段は、生体画像を認識して操作者を識別するための判断基準である認識識別制御情報を前記外部インタフェース部によって当該装置外部から入力し、その認識識別制御情報に基づいて、前記画像読取り部が撮像する画像を認識して当該装置の操作者を識別することを特徴とする請求項６から８のいずれか１項に記載の情報処理装置。
【請求項１０】
書類などの原稿を画像として読取り、及び、画像を印刷出力するなどの処理を行う情報処理装置であって、
原稿を載置可能な原稿台と、
前記原稿台及び当該装置の外面又は周囲を撮影できるカメラと、
前記カメラが撮影する被写体を画像として読取って画像信号を発生する画像読取り部と、
画像信号に従って可視画像を形成して印刷出力する画像形成装置と、
前記原稿台の範囲を被写界として原稿の画像を取込む原稿撮像モード、及び、当該装置の周囲又は前記原稿台も含めた外面を被写界として当該装置を操作する者の生体の少なくとも一部の画像を取込む生体撮像モードを少なくとも含んでなる撮像モードを有して、前記撮像モード毎に前記画像読取り部の撮像条件を切換えるモード制御手段と、
前記画像形成装置で印刷出力される画像の一部に、前記生体撮像モードで取込んだ生体画像に係る情報を表わす画像を合成する合成制御手段と、
を含み備える情報処理装置。
【請求項１１】
当該装置で為された一連の処理毎にそれを特定するための情報と、その処理の際に前記生体撮像モードで取込んだ生体画像に係る情報とを、関連づけて、当該装置の処理履歴に係る情報として記録するログ制御手段を含み備え、
前記合成制御手段は、前記生体画像に係る情報を表わす画像として、前記ログ制御手段が記録した先について、それが特定される固有の識別符号を含む情報の模様を、前記印刷出力される画像の一部に合成することを特徴とする請求項１０記載の情報処理装置。
【請求項１２】
書類などの原稿を画像として読取り、及び、文書情報・印刷情報等の文書印刷情報に、その情報についての又はそれに基づく印刷出力についての取扱い権限に係る取扱権限情報が含まれたものを入力して、画像を印刷出力するなどの処理を行う情報処理装置であって、
通信回線、ローカルインタフェース、メモリカード等を通して当該装置外部から情報の少なくとも入力を行う外部インタフェース部と、
入力された文書印刷情報を処理して、印刷される画像を生成し、そして、その画像信号を発生する文書印刷コントローラと、
画像信号に従って可視画像を形成して印刷出力する画像形成装置と、
を含み備え、
前記機能制御手段は、前記認識制御手段により当該装置の操作者として識別された者が前記取扱権限情報に基づく取扱い権限者に属するものと判断される該当文書印刷情報についてのみ、その印刷出力を可能とすることを特徴とする請求項６記載の情報処理装置。
【請求項１３】
書類などの原稿を画像として読取るなどの処理を行う情報処理装置であって、
装置筐体と、
前記装置筐体の上面部に設けられて原稿を載置可能な原稿台と、
前記原稿台に対して、少なくとも、密閉、全開及び半開きの位置に開閉する原稿台カバーと、
前記原稿台及び当該装置の外面又は周囲を撮影できるカメラと、
前記原稿台カバーに設けられ、前記カメラをその被写界が可動に保持し、また、当該部材の位置・方向等を検知する位置センサーを具備したカメラ保持部材と、
前記カメラが撮影する被写体を画像として読取って画像信号を発生する画像読取り部と、
前記画像読取り部によって撮像された画像を一時的に取込む画像メモリと、
前記原稿台の範囲を被写界として原稿の画像を取込む原稿撮像モード、及び、当該装置の周囲又は前記原稿台も含めた外面を被写界として当該装置を操作する者の生体の少なくとも一部の画像を取込む生体撮像モードを少なくとも含んでなる撮像モードを有し、前記原稿台カバーの開閉の位置によって画像読取り部の撮像条件を切換えるモード制御手段と、
当該装置の処理履歴に係る情報を記録するログ制御手段と、
を含み備え、
書類などの原稿を画像として読取るなどの処理において、前記原稿台カバーが全開の位置にある時に前記生体撮像モードで操作者の生体の一部を画像として取込んで、その後、書類などの原稿を画像として読取るときには前記原稿台カバーを半開きの位置として、前記処理を行ない、そして、当該処理を特定するための情報と、この処理の際に前記生体撮像モードで取込んだ生体画像に係る情報とを関連づけて、これらの情報を当該装置の処理履歴に係る情報として記録することを特徴とする情報処理装置。
【請求項１４】
書類などの原稿を画像として読取るなどの処理を行う情報処理装置であって、
装置筐体と、
前記装置筐体の上面部に設けられて原稿を載置可能な原稿台と、
前記原稿台に対して開閉する原稿台カバーと、
前記原稿台及び当該装置の外面又は周囲を撮影できるカメラと、
前記原稿台カバーに設けられ、前記カメラをその被写界が可動に保持し、また、当該部材の位置・方向等を検知する位置センサーを具備したカメラ保持部材と、
前記カメラが撮影する被写体を画像として読取って画像信号を発生する画像読取り部と、
前記画像読取り部によって撮像された画像を一時的に取込む画像メモリと、
前記原稿台の範囲を被写界として原稿の画像を取込む原稿撮像モード、及び、当該装置の周囲又は前記原稿台も含めた外面を被写界として当該装置を操作する者の生体の少なくとも一部の画像を取込む生体撮像モードを少なくとも含んでなる撮像モードを有し、前記原稿台カバーの開閉の位置によって画像読取り部の撮像条件を切換えるモード制御手段と、
撮像された画像を認識して当該装置の操作者を識別する認識制御手段と、
前記認識制御手段で識別された者に対して設定されている権限に基づいて、当該装置の処理及び係る操作の機能を拡張し若しくは制限し又は切換える機能制御手段と、
を含み備え、
書類などの原稿を画像として読取るなどの処理において、前記原稿台カバーが全開又は半開きの位置にある時に前記生体撮像モードで操作者の生体の一部を撮像し、その撮像された画像を認識し、当該装置の操作者を識別して、その結果によりその後の処理及び係る操作を許可することを特徴とする情報処理装置。
【発明の詳細な説明】
【技術分野】
【０００１】
本発明は、書類などの原稿を画像として読取る原稿読取り装置を具備した情報処理装置であって、画像を印刷出力する画像形成装置を備えて、原稿の画像を読取って印刷出力する複写機能、通信回線を通して画像情報を授受するファクシミリ機能、コンピュータなどからの印刷情報や文書情報を処理して印刷出力するプリンタ機能などを複合して有する多機能のデジタル複合機などの情報処理装置に関する。
【背景技術】
【０００２】
従来、この種のデジタル複合機において複写などが行われる原稿の画像読取りには、ＣＣＤや密着型のイメージセンサを用い、対象の原稿をライン状に走査してその画像データを取得するスキャナがよく使用されてきた。一方、デジタルスチルカメラなどに代表される２次元画像のデジタル撮像機でも、近年の撮像素子、画像処理、メモリ等の発達に伴い、高解像度の画像を撮像することが可能になってきた。そこで、特許文献１に開示された装置ではデジタルカメラをスキャナの代わりとして用いることが示されている。
【０００３】
ところで、様々な人に共用される装置において、その不用意な取扱いを防ぐためなどに、従来からカメラによるモニター監視などがしばしば行われてきている。そして、デジタル複合機においては、装置の利用カードなどによって利用者を識別して、複写料金の課金や装置の利用履歴などの管理もよく行われてきている。さらに、機密書類などに対するオフィスでの取扱いセキュリュティを高めるために、複写利用者の認証をＩＣカードなどの識別カードによって行うなどのセキュリティ管理も行われ始めている。
【０００４】
さらに、近年、文書や画像などのデジタルデータ化が進み、一般のオフィスで使われるこの種のデジタル複合機では、紙書類の複写も依然必要とされ使用されているが、併せて、コンピュータなどに対する電子データの出力や入力が、頻度としては圧倒的に多くなってきている。そして、オフィスネットワークの発達とオフィス環境の変化に伴い、様々な人がサーバなどに置かれた共用データにアクセスする形を取るようになってきて、サーバなどに置かれる機密文書に対するセキュリュティの確保がますます必要とされ、デジタル複合機においても電子データ形式の機密文書に対するセキュリティ管理への要望が今後益々大きくなるものと思われている。
【特許文献１】特開２００３−３４８２８６号公報
【発明の開示】
【発明が解決しようとする課題】
【０００５】
しかしながら、デジタル複合機におけるセキュリティ管理について、前述した従来のカメラによるモニター監視では、別途そのためのカメラ装置が必要とされ、相応のコストを要するものの、それだけでは、例えば、機密文書の印刷などデジタル複合機での操作内容をモニター監視画像自体で特定するのは難しく、装置の操作内容と関連づけた正確な監視・管理には無理があった。
【０００６】
また、前述従来からのＩＣカードなどを利用したセキュリティ管理の方法では、ＩＣカードの携帯が一般のオフィスなどにおいては未だ十分に広くは普及しておらず、実際の運用を含めたセキュリティ管理システムを構築する上でそのことが支障となる場合も多い。このようなことから、ことに比較的小規模なオフィスでは、ＩＣカードなどを用いることなくセキュリティ書類の管理が簡便に行えるシステムが望まれている。
【０００７】
また、前記特許文献１に示されるようなデジタルカメラでは、その構成がほとんど原稿台上の原稿に対する原稿読取りに固定されており、デジタル複合機におけるセキュリティ管理用としては、このままでは、原稿台上の原稿に対する前述のモニター監視ができる程度にとどまり、更なる機能のためには、装置の利用者にそのための特別な操作を求める必要もあって、実用的ではないという課題があった。
【０００８】
本発明は、このような従来の課題を解決するものであり、ＩＣカードなどの識別カードなどを所持しない者に対しても適用できる装置使用についての監視を行って、機密情報の印刷出力などが安易に行われるのを抑え、また、そのような印刷出力物が操作者以外の者に触れられる機会を抑えてその機密性を保つようなセキュリティ管理の機能を有し、しかも、その制御やそのための設定が操作者による普通の操作によって切換わり、セキュリティ管理のための適当かつ効率的な設定が操作者にとって殆ど負担とならずになされる操作簡便なデジタル複合機の提供を目的とする。
【課題を解決するための手段】
【０００９】
本発明は、上記目的を達成するために、書類などの原稿を画像として読取るなどの処理を行う情報処理装置において、原稿を載置可能な原稿台と、前記原稿台及び当該装置の外面又は周囲を撮影できるカメラと、前記カメラが撮影する被写体を画像として読取って画像信号を発生する画像読取り部と、前記原稿台の範囲を被写界として原稿の画像を取込む原稿撮像モード、及び、当該装置の周囲又は前記原稿台も含めた外面を被写界として当該装置を操作する者の生体の少なくとも一部の画像を取込む生体撮像モードを少なくとも含んでなる撮像モードを有して、前記撮像モード毎に前記画像読取り部の撮像条件を切換えるモード制御手段とを含み備えるものである。
【００１０】
また、書類などの原稿を画像として読取るなどの処理を行う情報処理装置において、原稿を載置可能な原稿台と、前記原稿台及び当該装置の外面又は周囲を撮影できるカメラと、前記カメラをその被写界が可動に保持し、かつ、前記原稿台の少なくとも一部を塞ぐように移動が可能であり、また、当該部材の位置・方向等を検知する位置センサーを具備したカメラ保持部材と、前記カメラが撮影する被写体を画像として読取って画像信号を発生する画像読取り部と、前記原稿台の範囲を被写界として原稿の画像を取込む原稿撮像モード、及び、当該装置の周囲又は前記原稿台も含めた外面を被写界として当該装置を操作する者の生体の少なくとも一部の画像を取込む生体撮像モードを少なくとも含んでなる撮像モードを有して、前記撮像モード毎に前記画像読取り部の撮像条件を切換えるモード制御手段とを含み備え、前記カメラ保持部材の位置・方向等によって撮像モードを切換えることを特徴とするものとしてもよい。
【００１１】
また、書類などの原稿を画像として読取るなどの処理を行う情報処理装置において、原稿を載置可能な原稿台と、前記原稿台及び当該装置の外面又は周囲を撮影できるカメラと、前記カメラが撮影する被写体を画像として読取って画像信号を発生する画像読取り部と、前記原稿台の範囲を被写界として原稿の画像を取込む原稿撮像モード、及び、当該装置の周囲又は前記原稿台も含めた外面を被写界として当該装置を操作する者の生体の少なくとも一部の画像を取込む生体撮像モードを少なくとも含んでなる撮像モードを有して、前記撮像モード毎に前記画像読取り部の撮像条件を切換えるモード制御手段と、当該装置で為された一連の処理毎にそれを特定するための情報と、その処理の際に前記生体撮像モードで取込んだ生体画像に係る情報とを、関連づけて、当該装置の処理履歴に係る情報として記録するログ制御手段とを含み備えるものとしてもよい。
【００１２】
また、書類などの原稿を画像として読取るなどの処理を行い、及び、装置情報などの情報を出力する情報処理装置において、原稿を載置可能な原稿台と、前記原稿台及び当該装置の外面又は周囲を撮影できるカメラと、前記カメラが撮影する被写体を画像として読取って画像信号を発生する画像読取り部と、通信回線、ローカルインタフェース、メモリカード等を通して当該装置外部へ情報の少なくとも出力を行う外部インタフェース部と、前記原稿台の範囲を被写界として原稿の画像を取込む原稿撮像モード、及び、当該装置の周囲又は前記原稿台も含めた外面を被写界として当該装置を操作する者の生体の少なくとも一部の画像を取込む生体撮像モードを少なくとも含んでなる撮像モードを有して、前記撮像モード毎に前記画像読取り部の撮像条件を切換えるモード制御手段と、前記画像読取り部が少なくとも生体撮像モードで撮像している当該装置の周囲又は原稿台も含めた外面の画像信号を、前記外部インタフェース部を通して当該装置の外部へ伝送するモニター画像伝送制御手段とを含み備えるものとしてもよい。
【００１３】
また、書類などの原稿を画像として読取るなどの処理を行う情報処理装置において、原稿を載置可能な原稿台と、前記原稿台及び当該装置の外面又は周囲を撮影できるカメラと、前記カメラが撮影する被写体を画像として読取って画像信号を発生する画像読取り部と、前記原稿台の範囲を被写界として原稿の画像を取込む原稿撮像モード、及び、当該装置の周囲又は前記原稿台も含めた外面を被写界として当該装置を操作する者の生体の少なくとも一部の画像を取込む生体撮像モードを少なくとも含んでなる撮像モードを有して、前記撮像モード毎に前記画像読取り部の撮像条件を切換えるモード制御手段と、撮像された画像を認識して当該装置の操作者を識別する認識制御手段と、前記認識制御手段で識別された者に対して設定されている権限に基づいて、当該装置の処理及び係る操作の機能を拡張し若しくは制限し又は切換える機能制御手段とを含み備えるものとしてもよい。
【００１４】
また、書類などの原稿を画像として読取り、及び、画像を印刷出力するなどの処理を行う情報処理装置において、原稿を載置可能な原稿台と、前記原稿台及び当該装置の外面又は周囲を撮影できるカメラと、前記カメラが撮影する被写体を画像として読取って画像信号を発生する画像読取り部と、画像信号に従って可視画像を形成して印刷出力する画像形成装置と、前記原稿台の範囲を被写界として原稿の画像を取込む原稿撮像モード、及び、当該装置の周囲又は前記原稿台も含めた外面を被写界として当該装置を操作する者の生体の少なくとも一部の画像を取込む生体撮像モードを少なくとも含んでなる撮像モードを有して、前記撮像モード毎に前記画像読取り部の撮像条件を切換えるモード制御手段と、前記画像形成装置で印刷出力される画像の一部に、前記生体撮像モードで取込んだ生体画像に係る情報を表わす画像を合成する合成制御手段とを含み備えるものとしてもよい。
【００１５】
また、書類などの原稿を画像として読取るなどの処理を行う情報処理装置において、装置筐体と、前記装置筐体の上面部に設けられて原稿を載置可能な原稿台と、前記原稿台に対して、少なくとも、密閉、全開及び半開きの位置に開閉する原稿台カバーと、前記原稿台及び当該装置の外面又は周囲を撮影できるカメラと、前記原稿台カバーに設けられ、前記カメラをその被写界が可動に保持し、また、当該部材の位置・方向等を検知する位置センサーを具備したカメラ保持部材と、前記カメラが撮影する被写体を画像として読取って画像信号を発生する画像読取り部と、前記画像読取り部によって撮像された画像を一時的に取込む画像メモリと、前記原稿台の範囲を被写界として原稿の画像を取込む原稿撮像モード、及び、当該装置の周囲又は前記原稿台も含めた外面を被写界として当該装置を操作する者の生体の少なくとも一部の画像を取込む生体撮像モードを少なくとも含んでなる撮像モードを有し、前記原稿台カバーの開閉の位置によって画像読取り部の撮像条件を切換えるモード制御手段と、当該装置の処理履歴に係る情報を記録するログ制御手段とを含み備え、書類などの原稿を画像として読取るなどの処理において、前記原稿台カバーが全開の位置にある時に前記生体撮像モードで操作者の生体の一部を画像として取込んで、その後、書類などの原稿を画像として読取るときには前記原稿台カバーを半開きの位置として、前記処理を行ない、そして、当該処理を特定するための情報と、この処理の際に前記生体撮像モードで取込んだ生体画像に係る情報とを関連づけて、これらの情報を当該装置の処理履歴に係る情報として記録することを特徴とするものとしてもよい。
【００１６】
また、書類などの原稿を画像として読取るなどの処理を行う情報処理装置であって、装置筐体と、前記装置筐体の上面部に設けられて原稿を載置可能な原稿台と、前記原稿台に対して開閉する原稿台カバーと、前記原稿台及び当該装置の外面又は周囲を撮影できるカメラと、前記原稿台カバーに設けられ、前記カメラをその被写界が可動に保持し、また、当該部材の位置・方向等を検知する位置センサーを具備したカメラ保持部材と、前記カメラが撮影する被写体を画像として読取って画像信号を発生する画像読取り部と、前記画像読取り部によって撮像された画像を一時的に取込む画像メモリと、前記原稿台の範囲を被写界として原稿の画像を取込む原稿撮像モード、及び、当該装置の周囲又は前記原稿台も含めた外面を被写界として当該装置を操作する者の生体の少なくとも一部の画像を取込む生体撮像モードを少なくとも含んでなる撮像モードを有し、前記原稿台カバーの開閉の位置によって画像読取り部の撮像条件を切換えるモード制御手段と、撮像された画像を認識して当該装置の操作者を識別する認識制御手段と、前記認識制御手段で識別された者に対して設定されている権限に基づいて、当該装置の処理及び係る操作の機能を拡張し若しくは制限し又は切換える機能制御手段とを含み備え、書類などの原稿を画像として読取るなどの処理において、前記原稿台カバーが全開又は半開きの位置にある時に前記生体撮像モードで操作者の生体の一部を撮像し、その撮像された画像を認識し、当該装置の操作者を識別して、その結果によりその後の処理及び係る操作を許可することを特徴とするものとしてもよい。
【発明の効果】
【００１７】
本発明は、カメラを具備する画像読取り部が原稿読取りを行うことで、立体原稿についても２次元画像として読取りが可能となり、また、原稿読取り時外では装置の周囲又は原稿台も含めた外面を撮影することで、当該装置を操作する者の生体の少なくとも一部を撮像でき、新たな撮影手段を加え備えることなく、かつ、利用者に識別カードの所持などの特別な負荷を掛けずに装置の使用を監視して不適当な利用を抑えるために、装置の使用場面を、操作者を含む画像として装置に取込むことができる。そのような、目的の被写体に対して適当かつ効率的な撮影及び画像取込みが、画像読取り部の撮像目的に応じたそれ毎のモードを持つモード制御手段によってカメラの向きや照明等の撮影条件及び解像度などの画像取込み条件を切換えることで、このような撮像設定を簡便かつ適切に行えるという効果を奏する。
【００１８】
また、当該部材の位置・方向等を検知する位置センサーを具備し、閉じられたときには原稿台の一部を塞ぐようなカメラ保持部材でカメラを保持してもよく、このことで、被写体が原稿台上の物かどうかの区別がつけられ、そして、その保持部材の位置や方向等に伴って撮像モードを切換えることで、より手間なく、セキュリティ監視のために操作者を撮影するのに適切な撮影条件及び画像取込み条件の設定ができる。
【００１９】
また、当該装置を操作する者の生体画像やそれに基づく情報等をログ制御手段で装置の処理履歴として記録してもよく、このことで、当該装置の利用者及びその利用実態を特定することができるので、当該装置の不用意な使用や機密情報の取扱いが安易に行われるのを抑制する効果が期待でき、このような操作者の記録のための撮像の条件設定が適切に行える。
【００２０】
また、生体画像認識により操作者を識別して、その権限に基づいて機能制御手段で装置の機能を変えてもよく、このことで、装置の機能をその操作者に適したものとし、取扱い上のトラブルを抑えて、装置の操作性を向上すると共に、装置内の情報に対する安全性も高めることができ、このような操作者の認証のための撮像の条件設定が適切に行える。
【００２１】
また、画像形成装置を備えてその印刷出力に合成制御手段で操作者の生体画像やそれ基づく情報等を含めてもよく、このことで、その印刷出力物の取扱いへの注意がより喚起され、また、その印刷出力物の配布を受ける者はその印刷出力物に対する信頼度を高めることができ、このような印刷出力に合成できる操作者の生体画像を撮像するための条件設定が適切に行える。
【発明を実施するための最良の形態】
【００２２】
本発明の実施の第１の形態は、書類などの原稿を画像として読取るなどの処理を行う情報処理装置において、原稿を載置可能な原稿台と、前記原稿台及び当該装置の外面又は周囲を撮影できるカメラと、前記カメラが撮影する被写体を画像として読取って画像信号を発生する画像読取り部と、前記原稿台の範囲を被写界として原稿の画像を取込む原稿撮像モード、及び、当該装置の周囲又は前記原稿台も含めた外面を被写界として当該装置を操作する者の生体の少なくとも一部の画像を取込む生体撮像モードを少なくとも含んでなる撮像モードを有して、前記撮像モード毎に前記画像読取り部の撮像条件を切換えるモード制御手段とを含み備えるものである。
【００２３】
本実施形態によって、カメラを具備する画像読取り部が原稿読取りを行うことで、立体原稿についても２次元画像として読取りが可能となり、また、原稿読取り時外では装置の周囲又は原稿台も含めた外面を撮影することで、当該装置を操作する者の生体の少なくとも一部を撮像でき、新たな撮影手段を加え備えることなく、かつ、利用者に識別カードの所持などの特別な負荷を掛けずに装置の使用を監視して不適当な利用を抑えるために、装置の使用場面を、操作者を含む画像として装置に取込むことができる。そのような、目的の被写体に対して適当かつ効率的な撮影及び画像取込みが、画像読取り部の撮像目的に応じたそれ毎のモードを持つモード制御手段によってカメラの向きや照明等の撮影条件及び解像度などの画像取込み条件（カメラの向き・画角・露出時間・絞り・色感度特性等や照明などの撮影画質の条件、及び取込みの解像度・時刻・頻度等の画像取込みの条件）を切換えることで、このような撮像設定を簡便かつ適切に行える。
【００２４】
また、本発明の実施の第２の形態は、書類などの原稿を画像として読取るなどの処理を行う情報処理装置において、原稿を載置可能な原稿台と、前記原稿台及び当該装置の外面又は周囲を撮影できるカメラと、前記カメラをその被写界が可動に保持し、かつ、前記原稿台の少なくとも一部を塞ぐように移動が可能であり、また、当該部材の位置・方向等を検知する位置センサーを具備したカメラ保持部材と、前記カメラが撮影する被写体を画像として読取って画像信号を発生する画像読取り部と、前記原稿台の範囲を被写界として原稿の画像を取込む原稿撮像モード、及び、当該装置の周囲又は前記原稿台も含めた外面を被写界として当該装置を操作する者の生体の少なくとも一部の画像を取込む生体撮像モードを少なくとも含んでなる撮像モードを有して、前記撮像モード毎に前記画像読取り部の撮像条件を切換えるモード制御手段とを含み備え、前記カメラ保持部材の位置・方向等によって撮像モードを切換えることを特徴とするものである。
【００２５】
本実施形態によって、当該部材の位置・方向等を検知する位置センサーを具備し、閉じられたときには原稿台の一部を塞ぐようなカメラ保持部材でカメラを保持することで、被写体が原稿台上の物かどうかの区別がつけられ、そして、その保持部材の位置や方向等に伴って撮像モードを切換えることで、より手間なく、セキュリティ監視のために操作者を撮影するのに適切な撮影条件及び画像取込み条件の設定ができる。
【００２６】
また、本発明の実施の第３の形態は、書類などの原稿を画像として読取るなどの処理を行う情報処理装置において、原稿を載置可能な原稿台と、前記原稿台及び当該装置の外面又は周囲を撮影できるカメラと、前記カメラが撮影する被写体を画像として読取って画像信号を発生する画像読取り部と、前記原稿台の範囲を被写界として原稿の画像を取込む原稿撮像モード、及び、当該装置の周囲又は前記原稿台も含めた外面を被写界として当該装置を操作する者の生体の少なくとも一部の画像を取込む生体撮像モードを少なくとも含んでなる撮像モードを有して、前記撮像モード毎に前記画像読取り部の撮像条件を切換えるモード制御手段と、当該装置で為された一連の処理毎にそれを特定するための情報と、その処理の際に前記生体撮像モードで取込んだ生体画像に係る情報とを、関連づけて、当該装置の処理履歴に係る情報として記録するログ制御手段とを含み備えるものである。
【００２７】
本実施形態によって、当該装置を操作する者の生体画像やそれに基づく情報等をログ制御手段で装置の処理履歴として記録しておくことで、当該装置の利用者及びその利用実態を特定することができるので、当該装置の不用意な使用や機密情報の取扱いが安易に行われるのを抑制する効果が期待でき、このような操作者の記録のための撮像の条件設定が適切に行える。
【００２８】
また、本発明の実施の第４の形態は、実施の第３の形態において、書類などの原稿を画像として読取るなどの処理を行い、及び、装置情報などの情報を出力する情報処理装置において、通信回線、ローカルインタフェース、メモリカード等を通して当該装置外部へ情報の少なくとも出力を行う外部インタフェース部を含み備え、前記ログ制御手段は、当該装置の処理履歴に係る情報の記録を、前記外部インタフェース部を通して外部の装置などに対して行うことを特徴とするものである。
【００２９】
本実施形態によって、取込んだ画像の画像情報を外部の装置に転送し、また、当該装置の処理履歴に係るログ情報を外部の記憶装置に記録するなどできる。
【００３０】
また、本発明の実施の第５の形態は、書類などの原稿を画像として読取るなどの処理を行い、及び、装置情報などの情報を出力する情報処理装置において、原稿を載置可能な原稿台と、前記原稿台及び当該装置の外面又は周囲を撮影できるカメラと、前記カメラが撮影する被写体を画像として読取って画像信号を発生する画像読取り部と、通信回線、ローカルインタフェース、メモリカード等を通して当該装置外部へ情報の少なくとも出力を行う外部インタフェース部と、前記原稿台の範囲を被写界として原稿の画像を取込む原稿撮像モード、及び、当該装置の周囲又は前記原稿台も含めた外面を被写界として当該装置を操作する者の生体の少なくとも一部の画像を取込む生体撮像モードを少なくとも含んでなる撮像モードを有して、前記撮像モード毎に前記画像読取り部の撮像条件を切換えるモード制御手段と、前記画像読取り部が少なくとも生体撮像モードで撮像している当該装置の周囲又は原稿台も含めた外面の画像信号を、前記外部インタフェース部を通して当該装置の外部へ伝送するモニター画像伝送制御手段とを含み備えるものである。
【００３１】
本実施形態によって、装置の操作状況を映すカメラ画像（映像）を外部にて監視することで、装置の不適当な使用の監視がほぼリアルタイムに、より強力に行え、また、装置のトラブル時にあっては、操作者との映像によるコミュニケーション手段としても利用できる。
【００３２】
また、本発明の実施の第６の形態は、書類などの原稿を画像として読取るなどの処理を行う情報処理装置において、原稿を載置可能な原稿台と、前記原稿台及び当該装置の外面又は周囲を撮影できるカメラと、前記カメラが撮影する被写体を画像として読取って画像信号を発生する画像読取り部と、前記原稿台の範囲を被写界として原稿の画像を取込む原稿撮像モード、及び、当該装置の周囲又は前記原稿台も含めた外面を被写界として当該装置を操作する者の生体の少なくとも一部の画像を取込む生体撮像モードを少なくとも含んでなる撮像モードを有して、前記撮像モード毎に前記画像読取り部の撮像条件を切換えるモード制御手段と、撮像された画像を認識して当該装置の操作者を識別する認識制御手段と、前記認識制御手段で識別された者に対して設定されている権限に基づいて、当該装置の処理及び係る操作の機能を拡張し若しくは制限し又は切換える機能制御手段とを含み備えるものである。
【００３３】
本実施形態によって、生体画像認識により操作者を識別して、その権限に基づいて機能制御手段で装置の機能を変えることで、装置の機能をその操作者に適したものとし、取扱い上のトラブルを抑え、装置の操作性を向上すると共に、装置内の情報に対する安全性も高めることができ、このような操作者の認証のための撮像の条件設定が適切に行える。
【００３４】
また、本発明の実施の第７の形態は、実施の第６の形態において、前記生体撮像モードは、前記画像読取り部が撮像している被写体を前記認識制御手段が認識可能な生体と判断した時に、その被写体の画像を取込むことを特徴とするものである。
【００３５】
本実施形態によって、撮像される被写体が所定の生体と認識された時にその被写体を生体画像として取込むことで、生体画像の取込みを指示するための操作を不要にして、装置の操作が簡便にできる。
【００３６】
また、本発明の実施の第８の形態は、実施の第６又は第７の形態において、前記生体は、顔、手首より先の手のひら、手の甲若しくは指、手首より先の血管、又は指紋であることを特徴とするものである。
【００３７】
本実施形態によって、生体を顔、手又は指とすることで、操作者の特定精度が高くでき、また、その画像を印刷出力に合成する場合、適当な加工により、顔写真、手形又は指紋として一般的に分かりやすい形で行うことができる。
【００３８】
また、本発明の実施の第９の形態は、書類などの原稿を画像として読取るなどの処理を行い、及び、制御情報などの情報を入力する情報処理装置において、実施の第６から第８の形態に対し、通信回線、ローカルインタフェース、メモリカード等を通して当該装置外部から情報の少なくとも入力を行う外部インタフェース部を含み備え、前記認識制御手段は、生体画像を認識して操作者を識別するための判断基準である認識識別制御情報を前記外部インタフェース部によって当該装置外部から入力し、その認識識別制御情報に基づいて、前記画像読取り部が撮像する画像を認識して当該装置の操作者を識別することを特徴とするものである。
【００３９】
本実施形態によって、生体画像を認識して操作者を識別するための認識識別制御情報を外部から得ることで、装置に認識識別制御情報を予め登録記憶しておく必要がなく、登録されていない新たな者であっても機密管理された状態の元で装置を利用できる。また、登録されている場合であっても、現時点での新たな認識識別制御情報を得ることで、認識及び識別の精度を高めることができる。
【００４０】
また、本発明の実施の第１０の形態は、書類などの原稿を画像として読取り、及び、画像を印刷出力するなどの処理を行う情報処理装置において、原稿を載置可能な原稿台と、前記原稿台及び当該装置の外面又は周囲を撮影できるカメラと、前記カメラが撮影する被写体を画像として読取って画像信号を発生する画像読取り部と、画像信号に従って可視画像を形成して印刷出力する画像形成装置と、前記原稿台の範囲を被写界として原稿の画像を取込む原稿撮像モード、及び、当該装置の周囲又は前記原稿台も含めた外面を被写界として当該装置を操作する者の生体の少なくとも一部の画像を取込む生体撮像モードを少なくとも含んでなる撮像モードを有して、前記撮像モード毎に前記画像読取り部の撮像条件を切換えるモード制御手段と、前記画像形成装置で印刷出力される画像の一部に、前記生体撮像モードで取込んだ生体画像に係る情報を表わす画像を合成する合成制御手段とを含み備えるものである。
【００４１】
本実施形態によって、画像形成装置を備えてその印刷出力に合成制御手段で操作者の生体画像やそれ基づく情報等を含めることで、その印刷出力物の取扱いへの注意がより喚起され、また、その印刷出力物の配布を受ける者はその印刷出力物に対する信頼度を高めることができ、このような印刷出力に合成できる操作者の生体画像を撮像するための条件設定が適切に行える。
【００４２】
また、本発明の実施の第１１の形態は、実施の第１０の形態において、当該装置で為された一連の処理毎にそれを特定するための情報と、その処理の際に前記生体撮像モードで取込んだ生体画像に係る情報とを、関連づけて、当該装置の処理履歴に係る情報として記録するログ制御手段を含み備え、前記合成制御手段は、前記生体画像に係る情報を表わす画像として、前記ログ制御手段が記録した先について、それが特定される固有の識別符号を含む情報の模様を、前記印刷出力される画像の一部に合成することを特徴とするものである。
【００４３】
本実施形態によって、操作者の生体に係る情報を、装置の処理履歴を記録した先が特定される固有の識別符号を含む情報（例えば、デバイスＩＤ、ＵＲＬ等）とすることで、その情報量を小さくすることができ、その情報を表わす模様も小さくなって、合成元の画像に与える影響を殆どなくすことができる。
【００４４】
また、本発明の実施の第１２の形態は、書類などの原稿を画像として読取り、及び、文書情報・印刷情報等の文書印刷情報に、その情報についての又はそれに基づく印刷出力についての取扱い権限に係る取扱権限情報が含まれたものを入力して、画像を印刷出力するなどの処理を行う情報処理装置において、実施の第６の形態に対し、通信回線、ローカルインタフェース、メモリカード等を通して当該装置外部から情報の少なくとも入力を行う外部インタフェース部と、入力された文書印刷情報を処理して、印刷される画像を生成し、そして、その画像信号を発生する文書印刷コントローラと、画像信号に従って可視画像を形成して印刷出力する画像形成装置とを含み備え、前記機能制御手段は、前記認識制御手段により当該装置の操作者として識別された者が前記取扱権限情報に基づく取扱い権限者に属するものと判断される該当文書印刷情報についてのみ、その印刷出力を可能とすることを特徴とするものである。
【００４５】
本実施形態によって、外部の装置から入力される文書情報、印刷情報等の文書印刷情報に基づいて印刷出力を行うことで、コンピュータなどから出力される文書情報の印刷や、ファクシミリ装置などから送信されてくる画像情報の印刷などが行え、さらに、生体情報での操作者の識別を行い、それが指定された権限者かどうかを判定して、権限者にのみ出力の操作を許すことで、機密文書が権限者以外の者によって出力され、扱われることをほぼ確実に防げる。
【００４６】
また、本発明の実施の第１３の形態は、書類などの原稿を画像として読取るなどの処理を行う情報処理装置であって、装置筐体と、前記装置筐体の上面部に設けられて原稿を載置可能な原稿台と、前記原稿台に対して、少なくとも、密閉、全開及び半開きの位置に開閉する原稿台カバーと、前記原稿台及び当該装置の外面又は周囲を撮影できるカメラと、前記原稿台カバーに設けられ、前記カメラをその被写界が可動に保持し、また、当該部材の位置・方向等を検知する位置センサーを具備したカメラ保持部材と、前記カメラが撮影する被写体を画像として読取って画像信号を発生する画像読取り部と、前記画像読取り部によって撮像された画像を一時的に取込む画像メモリと、前記原稿台の範囲を被写界として原稿の画像を取込む原稿撮像モード、及び、当該装置の周囲又は前記原稿台も含めた外面を被写界として当該装置を操作する者の生体の少なくとも一部の画像を取込む生体撮像モードを少なくとも含んでなる撮像モードを有し、前記原稿台カバーの開閉の位置によって画像読取り部の撮像条件を切換えるモード制御手段と、当該装置の処理履歴に係る情報を記録するログ制御手段とを含み備え、書類などの原稿を画像として読取るなどの処理において、前記原稿台カバーが全開の位置にある時に前記生体撮像モードで操作者の生体の一部を画像として取込んで、その後、書類などの原稿を画像として読取るときには前記原稿台カバーを半開きの位置として、前記処理を行ない、そして、当該処理を特定するための情報と、この処理の際に前記生体撮像モードで取込んだ生体画像に係る情報とを関連づけて、これらの情報を当該装置の処理履歴に係る情報として記録することを特徴とするものである。
【００４７】
本実施形態によって、カメラを具備する画像読取り部が原稿読取りを行うことで、立体原稿についても２次元画像として読取りが可能となり、また、原稿読取り時外では装置の周囲又は原稿台も含めた外面を撮影することで、当該装置を操作する者の生体の少なくとも一部を撮像でき、新たな撮影手段を加え備えることなく、かつ、利用者に識別カードの所持などの特別な負荷を掛けずに装置の使用を監視して不適当な利用を抑えるために、装置の使用場面を、操作者を含む画像として装置に取込むことができる。そのような、目的の被写体に対して適当かつ効率的な撮影及び画像取込みが、画像読取り部の撮像目的に応じたそれ毎のモードを持つモード制御手段によってカメラの向きや照明等の撮影条件及び解像度などの画像取込み条件を切換えることで、このような撮像設定を簡便かつ適切に行える。また、当該部材の位置・方向等を検知する位置センサーを具備し、閉じられたときには原稿台の一部を塞ぐようなカメラ保持部材でカメラを保持することで、被写体が原稿台上の物かどうかの区別がつけられ、そして、その保持部材の位置や方向等に伴って撮像モードを切換えることで、より手間なく、セキュリティ監視のために操作者を撮影するのに適切な撮影条件及び画像取込み条件の設定ができる。また、当該装置を操作する者の生体画像やそれに基づく情報等をログ制御手段で装置の処理履歴として記録しておくことで、当該装置の利用者及びその利用実態を特定することができるので、当該装置の不用意な使用や機密情報の取扱いが安易に行われるのを抑制する効果が期待でき、このような操作者の記録のための撮像の条件設定が適切に行える。
【００４８】
また、本発明の実施の第１４の形態は、書類などの原稿を画像として読取るなどの処理を行う情報処理装置であって、装置筐体と、前記装置筐体の上面部に設けられて原稿を載置可能な原稿台と、前記原稿台に対して開閉する原稿台カバーと、前記原稿台及び当該装置の外面又は周囲を撮影できるカメラと、前記原稿台カバーに設けられ、前記カメラをその被写界が可動に保持し、また、当該部材の位置・方向等を検知する位置センサーを具備したカメラ保持部材と、前記カメラが撮影する被写体を画像として読取って画像信号を発生する画像読取り部と、前記画像読取り部によって撮像された画像を一時的に取込む画像メモリと、前記原稿台の範囲を被写界として原稿の画像を取込む原稿撮像モード、及び、当該装置の周囲又は前記原稿台も含めた外面を被写界として当該装置を操作する者の生体の少なくとも一部の画像を取込む生体撮像モードを少なくとも含んでなる撮像モードを有し、前記原稿台カバーの開閉の位置によって画像読取り部の撮像条件を切換えるモード制御手段と、撮像された画像を認識して当該装置の操作者を識別する認識制御手段と、前記認識制御手段で識別された者に対して設定されている権限に基づいて、当該装置の処理及び係る操作の機能を拡張し若しくは制限し又は切換える機能制御手段とを含み備え、書類などの原稿を画像として読取るなどの処理において、前記原稿台カバーが全開又は半開きの位置にある時に前記生体撮像モードで操作者の生体の一部を撮像し、その撮像された画像を認識し、当該装置の操作者を識別して、その結果によりその後の処理及び係る操作を許可することを特徴とするものである。
【００４９】
本実施形態によって、カメラを具備する画像読取り部が原稿読取りを行うことで、立体原稿についても２次元画像として読取りが可能となり、また、原稿読取り時外では装置の周囲又は原稿台も含めた外面を撮影することで、当該装置を操作する者の生体の少なくとも一部を撮像でき、新たな撮影手段を加え備えることなく、かつ、利用者に識別カードの所持などの特別な負荷を掛けずに装置の使用を監視して不適当な利用を抑えるために、装置の使用場面を、操作者を含む画像として装置に取込むことができる。そのような、目的の被写体に対して適当かつ効率的な撮影及び画像取込みが、画像読取り部の撮像目的に応じたそれ毎のモードを持つモード制御手段によってカメラの向きや照明等の撮影条件及び解像度などの画像取込み条件を切換えることで、このような撮像設定を簡便かつ適切に行える。また、当該部材の位置・方向等を検知する位置センサーを具備し、閉じられたときには原稿台の一部を塞ぐようなカメラ保持部材でカメラを保持することで、被写体が原稿台上の物かどうかの区別がつけられ、そして、その保持部材の位置や方向等に伴って撮像モードを切換えることで、より手間なく、セキュリティ監視のために操作者を撮影するのに適切な撮影条件及び画像取込み条件の設定ができる。また、生体画像認識により操作者を識別して、その権限に基づいて機能制御手段で装置の機能を変えることで、装置の機能をその操作者に適したものとし、取扱い上のトラブルを抑え、装置の操作性を向上すると共に、装置内の情報に対する安全性も高めることができ、このような操作者の認証のための撮像の条件設定が適切に行える。
【実施例】
【００５０】
以下、本発明の実施の形態について、図面を用いて説明する。
【００５１】
（実施例１）
図１は、本実施例の情報処理装置（以下、この項において本装置と呼ぶ）の全体構成の概略を示す図で、（ａ）は外観の斜視図、（ｂ）は断面図である。
【００５２】
図１において、画像形成装置１は、電子写真方式のいわゆるレーザープリンタで、その画像形成を行うプロセス部は、円筒状で外周表面が積層型有機感光体の感光体ドラム２、感光体ドラム２の表面を帯電させる帯電器３、感光体ドラム２の表面に静電潜像を形成するためのレーザー（図示せず）を具備した露光装置４、トナーを含む現像剤が内填され、静電潜像をトナー像に現像する現像ローラ５を具備した現像器６、及び、金属シャフトを軸とし導電性ウレタンスポンジで形成されたもので、現像されたトナー像を記録紙上に転写するための転写ローラ７を主な構成要素としている。さらに、記録用紙を供給する用紙カセット８、記録紙上に転写されたトナー像を定着させるための定着器９、及び、定着後の記録紙を排出するための排紙部１０と、前述のプロセス部とで画像形成装置１を構成している。
【００５３】
ここで、現像剤に含まれるトナーは、ポリエステル樹脂８６重量％に顔料を５重量％、離型剤カルナウバワックス６重量％、及び、サルチル酸系亜鉛からなる電荷制御剤３重量％を予備混合して溶融混練し、そして、それを粗粉砕後に微粉砕し、分級して体積平均粒径が７．１μｍの非磁性のトナー母体粒子を得、さらに、このトナー母体粒子９８．５重量％に、外添剤として疎水性シリカ１．０重量％と疎水性のチタニア０．５重量％とを外添（混合）処理したものである。
【００５４】
また、感光体ドラム２は、周速度１００ｍｍ／ｓで回転する。露光装置４におけるレーザーのパワーは２８０μＷで、帯電器３には１．２ｋＶのＤＣ電圧を印加して、感光体ドラム２の帯電電位と露光後電位は、それぞれ−６５０Ｖと−１００Ｖとしている。現像器６における現像ローラ５には、−５００ＶのＤＣ電圧に、周波数が３ｋＨｚの矩形波でピーク・トゥ・ピーク電圧が１．５ｋＶのＡＣ電圧を重畳したバイアス電圧を印加している。転写ローラ７には＋６００Ｖの電圧を印加している。
【００５５】
この画像形成装置１において、画像形成は、次のように行う。
【００５６】
露光装置４のレーザーには、後述する文書印刷コントローラからの画像信号が入力される。感光体ドラム２は、その外周表面が帯電器３により前述の帯電電位に一様に帯電され、その後、露光装置４が、感光体ドラム２の表面に、入力された画像信号に従ってレーザー光を照射して前述の露光後電位を有する静電潜像を形成する。そして、現像器６における現像ローラ５は、現像域（現像ローラ５と感光体ドラム２との間）に供給された現像剤で磁気ブラシを形成しており、感光体ドラム２の表面上に、その磁気ブラシを摺擦することで、静電潜像にトナーのみを移行させてトナー像を形成する。そして、感光体ドラム２上に形成されたトナー像は、転写ローラ７によって記録紙表面上へ転写され、さらに、定着器９において、熱と圧力等により記録紙表面に定着される。定着後の記録紙は、排紙部１０によって後述する原稿台カバー１１の上に排出される。一方、トナー像の転写が終了した後の感光体ドラム２は、その表面上に残存するトナーが、ウレタンゴムでシート状に成形されたクリーニングブレードにより除去されて、これで、画像形成装置１は、画像形成の１サイクルを完了する。
【００５７】
引続き、図１において、カメラ１２は、後述するカメラ保持部材１３によって移動可能に保持され、本装置の外面及び周囲を２次元撮影することができる。照明１４は、カメラ１２が撮影する被写体に対する照明で、原稿台カバー１１に保持され、カメラ保持部材１３に連動して、また、後述する装置制御部に調節されて投光方向が変わり、本装置の外面及び周囲を照らすことができる。
【００５８】
原稿台カバー１１は、カメラ１２及び照明１４、並びにそれらを移動可能に支持して保持するカメラ保持部材１３を備え、また、後述する原稿台１５に対し、ラッチ機構（図示せず）を有する開閉支持部１６を支点にして数段階（本実施例では全開及び半開並びに閉の状態）に開閉できる。原稿台カバー１１が閉じられているとき、図１に示されるように、カメラ１２及び照明１４は、カメラ保持部材１３と共に原稿台カバー１１の内部に収まっている。
【００５９】
図２は、原稿台カバー１１が半開状態に開けられているときの本装置の概略の全体構成を示す図で、（ａ）は外観の斜視図、（ｂ）は断面図である。また、図３は、原稿台カバー１１が全開状態に開けられているときの様子を示す模式断面図である。
【００６０】
図１から図３において、原稿台カバー１１は、開閉支持部１６に備えられたラッチ機構（図示せず）により、閉じられている状態（図１）から開けられるとき、半開状態（図２）においてはラッチされず、全開状態（図３）になってラッチされる。そして、その後の閉じられる操作によってのみ、半開状態（図２）においてもラッチされる。また、このラッチ機構は、後述する装置制御部によっても制御され、装置制御部は原稿台カバー１１の半開状態でのラッチを不可とすることができる。
【００６１】
カメラ保持部材１３は、原稿台カバー１１が開けられて図３に示されるような全開状態になる時、原稿台カバー１１に対して矢印Ａ１及び矢印Ａ２の向きに移動して、カメラ１２を本装置の前面にて操作する者（操作者と呼ぶ）１７の方へ（矢印Ａ３）向け、また、原稿台カバー１１が全開状態から図２に示されるような半開状態になる時、原稿台カバー１１に対して矢印Ａ４及び矢印Ａ５の向きに移動して、カメラ１２を原稿台１５へ（矢印Ａ６）向ける。ここで、原稿台カバー１１が半開状態のときには、さらに、操作者は、手で操作することによりカメラ１２の向きをその他の向きにすることもできる。
【００６２】
また、カメラ保持部材１３は、照明１４に対しても同様に、その向きを、原稿台カバー１１の開閉に応じて変える。
【００６３】
また、カメラ保持部材１３にはその位置やカメラ１２の方向角度などに応じた信号を出力する位置センサー（図示せず）が取付けられており、その信号によって、後述する装置制御部がカメラ１２の位置や撮影の方向角度等を検知することができる。
【００６４】
原稿台１５は、原稿台カバー１１が開かれている間、操作者は、原稿台１５上に書類・書籍その他の原稿を置くことがでる。
【００６５】
操作部１８は、液晶表示器及び発光ダイオードからなる表示素子（図示せず）と、キースイッチからなる操作素子（図示せず）とを有し、操作者に対して装置情報を表示し、また、操作者１７のキー操作によって情報を入力する。
【００６６】
制御ユニット１９は、その中に、後述する、外部インタフェース部、文書印刷コントローラ、画像メモリ、及び記憶装置、並びに、装置制御部を備えている。
【００６７】
図４は、本装置のデータ処理・機器制御に係るブロック構成を示す。
【００６８】
図１から図４において、画像読取り部２０は、原稿台カバー１１内に備えられ、カメラ１２及び照明１４を含むブロックで、照明１４の投光を制御し、また、カメラ１２が撮影する被写体を２次元画像として読取って画像信号を発生する。ここで、カメラ１２は、ズーム（画角調節）機能、合焦機能、シャッター速度調節機能、絞り調節機能等を有し、また、照明１４も、その投光の光量及び方向が可変し、これらは後述する装置制御部２１から調節されている。
【００６９】
外部インタフェース部（外部ＩＦ部と略す）２２は、ファクシミリ装置などのデータ通信装置がつながる通信回線、コンピュータなどのデータ処理装置がつながるローカルインタフェース、及び、メモリカードなどがつながる外部入出力ポート（外部ＩＯポートと略す）を通して、それらの外部装置に対してデータ通信を行って文書情報（画像情報、図形情報、文情報等）、印刷情報（印刷コマンド、印刷データ等）その他制御情報の情報を入出力する。
【００７０】
文書印刷コントローラ２３は、外部インタフェース部２２で入力された文書情報、印刷情報等の文書印刷情報を処理して画像（ビットマップ画像）を生成し、また、ビットマップ画像を基にその画像信号を発生する。
【００７１】
画像メモリ２４は、ビットマップ画像データが書込まれ、一時的に記憶する。
【００７２】
記憶装置２５は、後述する本装置の処理履歴に係る情報などが書込まれて、それを記憶する。
【００７３】
画像形成装置１は、前述したように、入力される画像信号に従って可視画像を形成して印刷出力する。
【００７４】
操作部１８は、後述する装置制御部２１に制御されて、前述したように、操作者に対して装置情報を表示素子に表示し、また、操作者１７のキー（操作素子）操作によって情報を入力する。
【００７５】
装置制御部２１は、データの処理ユニット、メモリ及び入出力素子（図示せず）で構成されるマイクロコンピュータで、前述した画像読取り部２０、外部インタフェース部２２、文書印刷コントローラ２３、画像メモリ２４及び記憶装置２５をその周辺装置とし、内蔵するソフトウェア・プログラムによって、前述した開閉支持部１６のラッチ機構、カメラ保持部材１３の位置センサー、並びに画像読取り部２０のカメラ１２及び照明１４に対する処理・調節に加え、以下に述べる各制御手段を有して、本装置の情報（データ）を処理し、また全体動作を制御（装置制御）する。
【００７６】
装置制御部２１において、モード制御手段２６は、原稿撮像モード、生体撮像モード等の撮像モードを有して、カメラ１２及び照明１４を備える画像読取り部２０に対して、撮像モード毎に、撮像条件（撮影条件及び画像取込み条件）の切換えなどを行う。ここで、原稿撮像モードでは、原稿台１５の範囲を被写界として原稿の画像を取込む制御・処理を、また、生体撮像モードでは、装置の周囲又は前記原稿台１５も含めた外面を被写界として当該装置を操作する者の顔の画像を取込む制御・処理を行う。
【００７７】
（表１）は、撮像モード毎の、画像読取り部２０に対して設定される撮像条件及び装置制御部２１における制御項目の一部とその内容を示す。
【００７８】
【表１】
2006304142.tif 000003
【００７９】
（表１）において、撮像モードは、“生体撮像モード１”並びに“原稿撮像モード”１及び２の３つのモードがある。モード制御手段２６は、この３のモードから、現在の装置制御状態とカメラ（カメラ保持部材）の向き（操作者の手での操作も含む）とにより、現在の撮像モードを選定する。
【００８０】
例えば、本装置は、前述したように、原稿台カバー１１が図２に示されるような半開状態になる時、カメラ１２は図示されているように原稿台１５へ向けられ、モード制御手段２６は、撮像モードを“原稿撮像モード１”とするが、その後、操作者が手でカメラ保持部材１３を操作して、カメラ１２を水平又は斜め方向にし、装置周辺が撮影される向きにすると、撮像モードを“原稿撮像モード２”に切換え、その“原稿撮像モード２”のモード内容に基づいて、モード制御手段２６は撮像条件を画像読取り部２０に設定し、装置制御部２１はその制御・処理を行う。
【００８１】
画像取込制御手段２７は、画像読取り部２０にて撮像された画像をビットマップ画像データとして取込む。
【００８２】
出力制御手段２８は、印刷出力される画像を生成して、画像形成装置１で印刷出力を行わせる。
【００８３】
合成制御手段２９は、印刷出力される画像の一部に、生体撮像モードで取込まれた生体画像に係る情報を表わす画像を合成する処理を行う。
【００８４】
ログ制御手段３０は、本装置で為された一連の処理毎にそれを特定するための情報と、その処理の際に生体撮像モードによって取込まれた生体画像に係る情報とを、関連づけて、本装置の処理履歴に係る情報として、記憶装置２５に又は外部インタフェース部２２を通して外部の記憶装置に記録する処理・制御を行う。
【００８５】
モニター画像伝送制御手段３１は、画像読取り部２０が撮像する本装置の周囲又は原稿台１５も含めた外面の画像を、外部インタフェース部２２によって当該装置の外部へ伝送する処理・制御を行う。
【００８６】
以上のような構成において、次に、本装置のセキュリティ機能を含む主な動作について説明する。
【００８７】
＜原稿読取り機能＞
まず、書類などの原稿を画像として読取ってその画像情報を外部のデータ処理装置（コンピュータなど）やメモリカード、データ通信装置（ファクシミリ装置など）等へ送る場合について述べる。図５は、原稿台カバー１１が半開状態に開けられ、原稿台１５上に書類などの原稿３２が置かれて、その原稿３２を画像として読取るときの様子を示す模式図で、（ａ）は外観の斜視図を、（ｂ）は断面図である。図６は、この場合における処理のフローチャートである。以下、図１〜図６を用いて説明する。
【００８８】
この場合、画像情報が送られるコンピュータなどの外部のデータ処理装置の準備が必要であれば予めそれを行った（図６におけるステップＳ１）後、操作者は、本装置の操作部１８を操作するために、原稿台カバー１１を開ける（Ｓ２）。このとき、原稿台カバー１１は図３のような全開状態になってラッチされる。原稿台カバー１１が全開状態になると、操作部１８が現われてキー操作が可能になると共に、カメラ保持部材１３は、カメラ１２を、図示されたように、操作者１７の顔が撮像できる向きにする。
【００８９】
また、制御ユニット１９内の装置制御部２１は、モード制御手段２６が、取付けられた位置センサーでカメラ保持部材１３の位置や方向角度等を検知し、そして、その時の本装置における装置制御の情報（制御情報）と合わせ、撮像の目的と対象を想定して、撮像モードを、操作者１７の顔を撮像して記録するのに最適な“生体撮像モード１”として、被写界（画角）を本装置の前に居る操作者１７の顔を含む範囲に、焦点を本装置の前に居る操作者１７に、解像度（取込み画素数）を中程度にするなどの撮像条件の設定を画像読取り部２０に行って、撮像を開始する（Ｓ３）。
【００９０】
続いて、操作者１７は、操作部１８にて原稿の読取り機能を示す所定のキー操作（入力）を行う（本装置では、操作部１８に“原稿読取り”キーが備えられており、このキーを押下する）（Ｓ４）。
【００９１】
原稿の読取り機能を示す所定のキー操作を受けて、装置制御部２１の画像取込制御手段２７は、画像読取り部２０が“生体撮像モード１”の撮像条件で撮像している画像を画像メモリ２４に取込む（Ｓ５）。この時、カメラ１２は、本装置を操作している操作者１７の顔を捕らえており、取込まれた画像は、操作者１７の顔を含むものとなっている。
【００９２】
そして、本装置は、次に原稿台カバー１１が閉じられるときに図５のような半開状態でラッチされるようにラッチ機構の半開状態でのラッチを有効にし（Ｓ６）、また、操作者に対し、以降の本装置における一連の処理を可能として、その旨の表示（操作可表示と呼ぶ）を操作部１８の表示素子にて行う（Ｓ７）。
【００９３】
続いて、操作者は、操作可表示がされた後、それを確認してから、原稿台カバー１１を図５のような半開状態にする（Ｓ８）。
【００９４】
原稿台カバー１１が半開状態になると、カメラ保持部材１３は、カメラ１２を、図示されるように、原稿台１５上の被写体（原稿）が撮像できる向きにする。また、装置制御部２１は、モード制御手段２６が、カメラ保持部材１３の位置や方向角度等を検知し、そして、その時の本装置における制御情報と合わせ、撮像の目的と対象を想定して、撮像モードを、原稿の読取りに最適な原稿“原稿撮像モード１”として、被写界（画角）を原稿台１５の範囲に、焦点を原稿台１５上に、解像度（取込み画素数）を高く、画像の輪郭補正処理を有効にするなどの撮像条件の設定を画像読取り部２０に行い（Ｓ９）、また、原稿の読取りが可能である旨の表示（読取可表示と呼ぶ）を操作部１８の表示素子に行う（Ｓ１０）。
【００９５】
その後、操作者は、原稿台１５上に原稿３２を、読取られる面をカメラ１２へ向けて置く（Ｓ１１）。そして、操作者１７は、操作部１８にて、必要に応じて読取りに当たっての設定の情報などを入力してから、読取可表示を確認した後、原稿読取り開始の指示の操作を行う（Ｓ１２）。
【００９６】
この操作によって、装置制御部２１は、画像読取り部２０に原稿台１５上の原稿３２を“原稿撮像モード１”で撮像させ、画像取込制御手段２７がその画像を取込んで画像情報を生成する（Ｓ１３）。
【００９７】
その後、装置制御部２１は、得られた画像情報を、外部インタフェース部２２に、外部のコンピュータやファクシミリ装置等へ伝送させる（Ｓ１４）。
【００９８】
そして、原稿台カバー１１が図１のように閉じられると（Ｓ１５）、装置制御部２１のログ制御手段３０は、先に取込んだ図３における操作者１７についての画像を、当該原稿読取りに係る特定情報（本実施例では、読取りデータの伝送先情報及び日時並びに装置設定によっては読取り画像のサムネイル）と共に装置の処理履歴情報として記憶装置２５に記録して（Ｓ１６）、一連の処理を終了する。
【００９９】
ここで、上述の例では、原稿台１５上の原稿３２を読取りの対象としたが、読取りの対象である原稿（被写体）が、本装置の外にある物、例えば、本装置の周囲に置かれた黒板などの場合には、カメラ保持部材１３を手で操作して、カメラ１２をその被写体（黒板など）に向けることができる（Ｓ１７）。このとき、装置制御部２１は、モード制御手段２６が、カメラ１２の撮像する向き、すなわちカメラ保持部材１３の位置や方向角度等によって被写体が原稿台１５上のものではないことを検知し、また、カメラ１２の合焦機能によって本装置から被写体までのおおよその距離を検知して、撮像モードを（表１）に示された“原稿撮像モード２”として、画像読取り部２０の撮像条件を本装置外の被写体に適したものに設定し直す（Ｓ１８）。このように、原稿台１５上に載置できない物についても、読取りの原稿とすることができ、その画像読取りが、簡便にかつ適切に行える。
【０１００】
このように、本装置では、画像読取りにカメラ１２を用いたことで、被写体が、平面的なものだけに限られず、立体であってもよく、また、本装置の原稿台に載置できない物であっても、それらを読取りの原稿とすることができると共に、本装置の使用に際して、操作者１７についての画像が取込まれてログ制御手段３０により装置の処理履歴として記録されるので、本装置の不用意な使用が抑制される効果が期待され、また、その記録に読取り生体画像のサムネイルを含めることで、機密書類の取扱いについて、操作者を特定する管理が可能となる。このようなことが、モード制御手段２６により、画像読取り部２０の撮像条件を、原稿台カバー１１の開閉及びそれに伴う又は手動でのカメラ保持部材１３の位置や方向角度等を検知して切換えることで、それが簡便にかつその時々に応じて適切に設定できる。
【０１０１】
＜複写機能＞
次に、書類などの原稿の複写を行う場合について述べる。図７は、この場合における処理のフローチャートである。以下、図１〜図７を用いて説明する。
【０１０２】
この場合、書類などの原稿を画像として読取ってその画像情報を外部のデータ処理装置やメモリカード、データ通信装置等へ送る場合に対して、外部のデータ処理装置やメモリカード、データ通信装置等の準備（図６におけるＳ１）が不要である外は、原稿の読取り（複写）開始の指示の操作（Ｓ１２）の前までほぼ同様である。
【０１０３】
そして、複写開始の指示の操作（Ｓ１９）があった後、図５において、制御ユニット１９内の装置制御部２１は、画像読取り部２０に原稿台１５上の原稿３２を“原稿撮像モード１”で撮像させ、画像取込制御手段２７がその画像を取込んで画像情報を生成する（Ｓ２０）。そして、装置制御部２１は、文書印刷コントローラ２３に、その画像情報のレイアウト処理などを行わせた後、画像信号として画像形成装置１へ与えさせ、そして画像形成装置１にその印刷出力を行わせる（Ｓ２１）。
【０１０４】
ここで、装置設定によっては、装置制御部２１の合成制御手段２９は、印刷（複写）出力する画像の一部に、既に取込んでいる（Ｓ２３）操作者１７についての画像を縮小し合成して、印刷出力することもできる。また、操作者の生体に係る情報として、装置の処理履歴を記録した先を特定する固有の識別符号を含む情報であるデバイスＩＤ、ＵＲＬ等を表わす模様（図形）を合成して印刷出力することもできる。
【０１０５】
そして、原稿台カバー１１が図１のように閉じられると（Ｓ２２）、装置制御部２１のログ制御手段３０は、既に取込んでいる（Ｓ２３）図３における操作者１７についての画像を、当該原稿複写に係る特定情報（本実施例では、複写の日時及び装置設定によっては複写画像のサムネイル）と共に装置の処理履歴情報として記憶装置２５に記録して（Ｓ２４）、一連の処理を終了する。
【０１０６】
このように、書類などの原稿の複写を行う場合についても、本発明により、前述の書類などの原稿を画像として読取ってその画像情報を外部のデータ処理装置やメモリカード、データ通信装置等へ送る場合と同様の効果が得られ、さらに、合成制御手段２９によって、操作者１７についての画像又はその情報を表わす模様を複写出力に合成することで、機密書類の複写物に対する取扱いについても、操作者に対し、より注意を高めることができ、このような複写物の生成が簡便に行え、そのための設定が、モード制御手段２６により簡便にかつその時々に応じて適切に行える。
【０１０７】
＜プリンタ機能＞
次に、外部のデータ処理装置（コンピュータなど）若しくはメモリカードから文書情報、印刷情報等の文書印刷情報を入力し、又はデータ通信装置（ファクシミリ装置など）から画像情報を入力してその印刷（セキュリティ印刷）を行う場合について述べる。
【０１０８】
本装置のセキュリティ印刷では、本装置は、印刷文書など毎にその印刷出力について権限を有する者が所定の操作を行った時に、その印刷出力を行うものとしている。図８は、この場合における処理のフローチャートである。以下、図１〜図４及び図８を用いて説明する。
【０１０９】
本装置は、コンピュータやメモリカード、ファクシミリ装置等から印刷情報、文書情報、画像情報等が本装置に送られてくると（Ｓ２５）、制御ユニット１９内の外部インタフェース部２２が、送られてきた情報を逐次入力し、文書印刷コントローラ２３が、その情報の解釈を行って印刷文書として受付け、解釈される文書情報若しくは印刷情報に基づいてそのビットマップ画像を描画し、又は入力された画像情報に基づいてそれをビットマップ画像に展開して、そのビットマップ画像を画像メモリ２４内に書込んでいく（Ｓ２６）。そして、装置制御部２１は、一連の文書についてその印刷出力のための準備が整うと、その印刷出力について権限を有する者の所定の操作入力を待ち受ける。
【０１１０】
一方、印刷出力を行う者（操作者）は、その印刷出力を行う時に、本装置の操作部１８を操作するために、原稿台カバー１１を開ける（Ｓ２７）。このとき、原稿台カバー１１は図３のような全開状態になってラッチされる。原稿台カバー１１が全開状態になると、操作部１８が現われてキー操作が可能になると共に、カメラ保持部材１３は、カメラ１２を、図示されたように、操作者１７の顔が撮像できる向きにする。
【０１１１】
また、制御ユニット１９内の装置制御部２１は、モード制御手段２６が、取付けられた位置センサーでカメラ保持部材１３の位置や方向角度等を検知し、そして、その時の本装置における装置制御の情報（制御情報）と合わせ、撮像の目的と対象を想定して、撮像モードを、操作者１７の顔を撮像して記録するのに最適な“生体撮像モード１”として、被写界（画角）を本装置の前に居る操作者１７の顔を含む範囲に、焦点を本装置の前に居る操作者１７に、解像度（取込み画素数）を中程度にするなどの撮像条件の設定を画像読取り部２０に行って撮像を開始させる（Ｓ２８）。
【０１１２】
続いて、操作者１７は、操作部１８にてプリンタ機能を示す所定のキー操作（入力）を行う（本装置では、操作部１８に“プリンタ”キーが備えられており、このキーを押下する）（Ｓ２９）。
【０１１３】
プリンタ機能を示す所定のキー操作を受けて、装置制御部２１の画像取込制御手段２７は、画像読取り部２０が“生体撮像モード１”の撮像条件で撮像している画像を画像メモリ２４に取込む（Ｓ３０）。この時、カメラ１２は、本装置を操作している操作者１７の顔を捕らえており、取込まれた画像は、操作者１７の顔を含むものとなっている。
【０１１４】
そして、本装置は、次に原稿台カバー１１が閉じられるときに図２のような半開状態でラッチされないようにラッチ機構の半開状態でのラッチを不可とし（Ｓ３１）、また、操作者に対し、以降の本装置における一連の処理を可能として、その旨の表示（操作可表示と呼ぶ）を操作部１８の表示素子にて行う（Ｓ３２）。
【０１１５】
続いて、操作者は、操作可表示がされた後、それを確認してから、コンピュータから自らが印刷処理を指示した文書を印刷出力するとき、先に印刷を指示した自らのコンピュータ名とそのパスワードを操作部１８にてキー入力する（Ｓ３３）。これは、本装置に入力されている自らの印刷文書が誤って他の者によって行われないためのものである。ここで、ファクシミリ受信された文書を印刷出力するときには、操作者１７は、ファクシミリ受信の印刷文書を示す所定のキー操作（入力）を行う（本装置では、操作部１８に“ファクシミリ受信印刷”キーが備えられており、このキーを押下する）。
【０１１６】
このキー入力を受けて、装置制御部２１は、既に印刷出力の準備が整っている印刷文書にその該当するものがあるとき（Ｓ３４）、画像形成装置１での印刷出力が可能である旨の表示（印刷可表示と呼ぶ）を操作部１８の表示素子に表示する（Ｓ３５）。
【０１１７】
操作者は、その印刷可表示を確認して、印刷出力を指示するキー操作を行い（本装置では、操作部１８に“印刷”キーが備えられており、このキーを押下する）（Ｓ３６）、そして原稿台カバー１１を図１のように閉じる（Ｓ３７）。
【０１１８】
これらの操作によって、装置制御部２１は、原稿台カバー１１が閉じられた後、文書印刷コントローラ２３に、該当する印刷文書について、既に画像メモリ２４内に書込まれているビットマップ画像に基づいて画像信号を発生させ、画像形成装置１に、その画像信号に従って印刷出力を行わせる（Ｓ３８）。
【０１１９】
ここで、装置設定によっては、装置制御部２１の合成制御手段２９は、印刷出力する画像の一部に、先に取込んだ（Ｓ３０）操作者１７についての画像を縮小し合成して、印刷出力することもできる。また、操作者の生体に係る情報として、装置の処理履歴を記録した先を特定する固有の識別符号を含む情報であるデバイスＩＤ、ＵＲＬ等を表わす模様（図形）を合成して印刷出力することもできる。
【０１２０】
そして、装置制御部２１のログ制御手段３０は、先に取込んだ操作者１７についての画像を、当該印刷文書に係る特定情報（本実施例では、印刷処理の指示がなされたコンピュータ識別名及びその日時並びに印刷文書名を用いている）と共に装置の処理履歴情報として記憶装置２５に記録する（Ｓ３９）。
【０１２１】
このように、セキュリティ印刷では、その印刷出力が本装置での操作によって開始されることで、その印刷出力物が操作者以外の者に触れられる機会が抑えられ、その機密性をより高く保つことができ、また、その操作の際、操作者１７の顔などの生体情報をログ制御手段３０により装置の処理履歴として記録しておくことで、印刷出力を行った者についての管理が可能となる。さらに、合成制御手段２９によって操作者１７についての画像を印刷出力に合成することで、機密文書の印刷出力物に対する取扱いについても、操作者に対し、より注意を高めることができる。このようなことが、印刷出力物を本装置から取出す際に簡単な操作を行うだけで、また、識別カードなどを携行しない者に対しても、効果的になされ、そのための設定が、モード制御手段２６により簡便にかつその時々に応じて適切に行える。
【０１２２】
なお、本実施例において、カメラ１２は、その光学系が、原稿台カバー１１の開閉に伴うカメラ保持部材１３の位置構成に基づいて、想定される撮像の目的・被写体等に適したものとなるよう、例えば、その向き・画角等を変え、また、光学フィルターなどを切換えるものとしてもよい。
【０１２３】
また、画像読取り部２０の撮像条件は、カメラ１２の向き・画角・露出時間・絞り等、照明、取込みの解像度のほか、撮像色感度特性や、操作者１７の記録のための画像の取込みタイミング（どの操作シーンに画像取込みを行うか）や記録数などの条件、さらに、装置が操作されていないときにはタイマーを用いて適宜の時刻又は周期及び頻度で取込み・記録するなどの設定が行えるものとしてもよい。
【０１２４】
また、画像読取り部２０の撮像条件について、原稿台カバー１１の開閉に伴うカメラ保持部材１３の位置構成に基づいて設定される項目及び内容は、ユーザによって、予めデフォルト値を定めておき、そして、ユーザ毎に定めることができるものとしてもよい。さらに、装置によるデフォルト値などの設定後も、操作者１７は、さらに操作部で操作してその設定値を補正することができるものとしてもよい。
【０１２５】
また、カメラ１２及び照明１４の方向などは、本実施例ではカメラ保持部材１３が直接機械的に可変する構成としたが、カメラ１２及び照明１４にモーターなどを設けて装置制御部２１などで電気的に調節するものとしてもよい。
【０１２６】
これらのカメラ１２の光学系、画像読取り部２０の撮像条件、並びにその設定項目及び内容が切換えられ、設定され、又は補正されることで、それらの内容を、装置の設置環境・使用条件・運用形態等に合わせた適切なものとして、実際の装置利用においてそのまま適用できるものとすることができ、装置の取扱いがより簡便にできる。
【０１２７】
また、本実施例では被写体の方向へカメラ１２を向けるとしたが、カメラ保持部材１３は、カメラ１２の光学系を可動に保持し、カメラ１２の本体は向きを変えないものであってもよい。さらに、原稿台カバー１１の内部がカメラの光学系における光路となる構成であってもよい。そして、原稿台カバー１１の開け閉めに伴って光路を切換え、原稿台カバー１１が閉じられているときには、被写界が本装置の前面側外部（周囲）になるようになどしてもよい。併せて、操作部を原稿台カバー１１が閉じられているときでも塞がれない位置に設けて、このことで、操作者１７は、原稿台カバー１１を開けることなく操作部の操作ができ、また、カメラは、その状態でも本装置を操作する者を被写体として捕らえて撮像することができる。
【０１２８】
また、原稿台カバー１１が閉じられているときには、被写界が本装置の前面側外部（周囲）になるようになどし、そして、常時、カメラ１２が撮像する画像（映像）を外部装置へ伝送して、外部装置でその画像をモニターしてもよい。このことで、装置の不適当な使用の監視がほぼリアルタイムに、より強力に行え、また、装置のトラブル時にあっては、カメラ１２を操作者とのコミュニケーション手段としても利用できる。
【０１２９】
また、本実施例では印刷された記録紙が原稿台カバー１１の上に排出されるものとしたが、原稿台の下に排紙トレイを設け、そこに排出されるものとしてもよい。そして、さらに原稿台カバー１１は無くてもよい。このとき、カメラ保持部材１３は、本装置の本体などに支持され、かつ、操作者によって、原稿台に対して移動でき、普段は、原稿台上への原稿の載置がしにくいと感じられる程度に原稿台上の少なくとも一部を塞ぐような位置にあって、そして書類などの原稿の読取り時には、原稿台から離して使用する構成とすることでも、本発明の効果が得られる。
【０１３０】
また、書類などの原稿の読取りにおいて、伝送データに、本装置が取込んだ操作者１７についての画像情報を含んでもよい。このことで、読取った書類をファクシミリ送信する場合など、当該ファクシミリ送信を行っている者を受信先に示すことで、受信先に対して当該ファクシミリ送信についての信頼性を高めるなどできる。
【０１３１】
また、本実施例では、印刷処理を特定するために、操作者１７がコンピュータ名とそのパスワードを入力するものとしたが、印刷開始指示の際に印刷処理毎に特定番号が付与され、その特定番号を入力するものとしてもよく、その他、文書名、操作者識別番号等によってもよく、さらに小規模な運用であってこのようなチェックが不要であれば割愛されてもよい。このことで、セキュリティの水準を、装置の設置環境・使用条件・運用形態等に合わせたものとすることができる。
【０１３２】
また、印刷可表示などの表示は、視覚によるものの外、音響や振動などによるものを加えてもよく、情報の入力を行う操作素子は、音声入力によるものを加えてもよい。このことで、表示の効果を高めることができ、さらに視聴覚障害を有する者であっても本装置の操作が行える。
【０１３３】
また、カメラ１２での撮像画像を操作部１８などの表示素子に表示してもよい。このことで、操作者は、自らが写されていることを知り、機密書類などの取扱いへの注意を増し、また、原稿が撮像される際には、その取込まれる画像が予め確認でき、原稿の載置やその画像取込み条件などの設定等での誤りが低減できる。
【０１３４】
また、装置の処理履歴としての記録は、本装置内の記憶装置２５に記録するものであっても、また、外部インタフェース部２２によって本装置の外部の記憶装置に記録するものであってもよい。本装置の外部の記憶装置に記録することで、本装置に記憶装置２５を備えなくても本発明に係る効果が得られ、また、遠隔の地にあっても本装置の監視・管理が行える。
【０１３５】
また、セキュリティ印刷における印刷出力の画像は、その一部に、画像読取り部２０で取込んだ、操作者１７が写された画像を合成したものとしてもよい。このことで、印刷出力物に対する取扱いに、より注意が払われ、また、それが配布されて受取る者においては、その文書に対する信頼度を増すことができる。
【０１３６】
また、画像形成装置１は、本実施例では電子写真方式のものを用いたが、インクジェット方式、熱転写方式等その他の方式のものでもよい。
【０１３７】
（実施例２）
本実施例の情報処理装置（以下、この項において本装置と呼ぶ）は、実施例１の装置に、画像読取り部が撮像する画像を認識して本装置の操作者を識別する認識制御手段を加え備えたものである。その認識制御手段は制御ユニットの中に備えられた装置制御部に含まれ、その他の構成は実施例１と同様である。そこで、以下の説明においても、実施例１で示した図１〜図３及び図５を適宜用いる。
【０１３８】
本装置は、実施例１と同様の、画像形成装置１、並びに原稿台１５、原稿台カバー１１、カメラ１２及びカメラ保持部材１３を含む画像読取り部２０、操作部１８、並びに、外部インタフェース部２２、文書印刷コントローラ２３、画像メモリ２４及び装置制御部２１を具備した制御ユニット１９を備え、図１は原稿台カバー１１が閉じられたときの、図２は原稿台カバー１１が半開状態のときの、図３は原稿台カバー１１が全開状態のときの本装置の全体構成又は様子を示す。
【０１３９】
図９は、本装置のデータ処理・機器制御に係るブロック構成を示す。
【０１４０】
ここで、装置制御部２１は、前述した、画像読取り部２０が撮像する画像を認識して本装置の操作者１７を識別する認識制御手段３３と、さらに、認識制御手段３３で識別された者に対して設定されている権限に基づいて、本装置の操作及び処理の機能を拡張し若しくは制限し又は切換える機能制御手段３４を有する。
【０１４１】
以上のような構成において、次に、本装置のセキュリティ機能を含む主な動作について説明する。
【０１４２】
＜原稿読取り機能＞
まず、書類などの原稿を画像として読取ってその画像情報を外部のデータ処理装置やメモリカード、データ通信装置等へ送る場合について述べる。図１０は、この場合における処理のフローチャートである。以下、図１〜図３、図５、図６、図９及び図１０を用いて説明する。
【０１４３】
書類などの原稿を読取る場合、実施例１と同様に、操作者は、本装置の操作部１８を操作するために、原稿台カバー１１を開け、図３のような全開状態にする（Ｓ４０）。これにより、本装置は、実施例１と同様に、画像読取り部２０の撮像条件を設定して、本装置の前に居る操作者１７に対して撮像を開始する（Ｓ４１）。
【０１４４】
そして、本装置の装置制御部２１は、１秒毎に、カメラ１２が撮像している画像を画像取込制御手段２７で取込んで、認識制御手段３３でその画像認識を行う（Ｓ４２）。装置制御部２１は、その取込まれた画像が、認識制御手段３３において、顔と認識され、かつ、それが予め登録された者の生体（顔）であると識別されたとき（Ｓ４３）、撮像された画像を取込み（Ｓ４４）、ラッチ機構の半開状態でのラッチを有効にし（Ｓ４５）、そして、装置設定によっては、装置制御部２１は、識別された操作者に専用の表示や装置機能の拡張又は制限を機能制御手段３４で行った（Ｓ４６）後、その操作者に対して、以降の本装置における一連の処理を可能として、操作可表示を操作部１８の表示素子にて行う（Ｓ４７）。
【０１４５】
ここで、操作者１７が本装置を操作できる者と識別されないときには、本装置は、操作可表示を行わず、原稿の読取り指示などの本装置での処理に係る指示についての操作を無効とし、また、次に原稿台カバー１１が閉じられるときに半開状態でラッチされないようにラッチ機構の半開状態でのラッチを不可とする（Ｓ４８）。
【０１４６】
本装置を操作できる者と識別された操作者１７は、続いて、操作部１８にて“原稿読取り”キーなどの、原稿の読取り機能を示す所定のキー操作（入力）を行い（Ｓ４９）、そして、原稿台カバー１１を半開状態にする以降の原稿読取りの操作、装置動作等については、実施例１と同様である（図６のＳ８以降）。
【０１４７】
ここで、図６のＳ１６において、ログ制御手段３０によって記憶装置２５に記録される装置の処理履歴情報は、操作者に係る特定情報（本実施例では、認識・識別された操作者の登録されている識別番号、及び、装置設定によっては先に取込んだ（Ｓ４４）操作者１７の顔が含まれた画像）、及び、当該原稿読取りに係る特定情報（本実施例では、読取りデータの伝送についての伝送先情報及び日時並びに装置設定によっては読取り画像のサムネイル）としている。
【０１４８】
このように、認識制御手段３３を備えることにより、操作者の特定が本装置においてでき、さらに機能制御手段３４を備えることで、本装置の使用についての権限に基づいて、未登録者の使用を制限し、及び、登録者毎に若しくは権限毎に表示・機能等を制限又は拡張するなどのことが簡便に行える。また、処理履歴情報における操作者に係る特定情報を識別番号とすることで、その量を少なくすることもできる。
【０１４９】
また、生体を顔とすることで、認識制御手段３３での操作者の特定精度が高くできる。
【０１５０】
＜複写機能＞
次に、書類などの原稿の複写を行う場合について述べる。図１１は、この場合における処理のフローチャートである。以下、図１〜図３、図５、図７及び図９〜図１１を用いて説明する。
【０１５１】
この場合も、本実施例における前述の書類などの原稿を画像として読取ってその画像情報を外部のデータ処理装置やメモリカード、データ通信装置等へ送る場合に対して、外部のデータ処理装置やメモリカード、データ通信装置等の準備が不要である外は、操作可表示がされる（図１０のＳ４７）までは同様である。
【０１５２】
その後、本装置を操作できる者と識別された操作者１７は、操作部１８にて複写機能を示す所定のキー操作（入力）を行い（本装置では、操作部１８に“複写”キーが備えられており、このキーを押下する）（Ｓ５０）、そして、原稿台カバー１１を半開状態にする以降の原稿読取りの操作、装置動作等については、実施例１と同様である（図７のＳ５１以降）。
【０１５３】
ここで、この場合における図７のＳ２１にて、装置制御部２１の合成制御手段２９によって印刷出力に合成される操作者についての画像には、先に取込んである（Ｓ５２）操作者１７の顔の画像を用いる。また、操作者の生体に係る情報として、認識・識別された操作者の登録されている識別番号などを表わす模様（図形）を合成して印刷出力することもできる。
【０１５４】
このように、書類などの原稿を画像として読取ってその画像情報を外部のデータ処理装置やメモリカード、データ通信装置等へ送る場合と同様の効果が得られる。また、生体を顔とすることで、その画像を印刷出力に合成する場合、適当な加工により、顔写真として一般的に分かりやすい形で行うことができる。
【０１５５】
＜プリンタ機能＞
次に、外部のデータ処理装置（コンピュータなど）若しくはメモリカードから文書情報、印刷情報等の文書印刷情報を入力し、又はデータ通信装置（ファクシミリ装置など）から画像情報を入力してその印刷（セキュリティ印刷）を行う場合について述べる。図１２は、この場合における処理のフローチャートである。以下、図１、図３、図８及び図９〜図１２を用いて説明する。
【０１５６】
本装置も、実施例１と同様に、コンピュータやメモリカード、ファクシミリ装置等から印刷情報、文書情報、画像情報等が本装置に送られてくると、制御ユニット１９内の外部インタフェース部２２が、送られてきた情報を逐次入力し、文書印刷コントローラ２３が、その情報の解釈を行って印刷文書として受付け、解釈される文書情報若しくは印刷情報に基づいてそのビットマップ画像を描画し、又は入力された画像情報に基づいてそれをビットマップ画像に展開して、そのビットマップ画像を画像メモリ２４内に書込んでいく（図８のＳ２５及びＳ２６）。そして、装置制御部２１は、一連の文書についてその印刷出力のための準備が整うと、その印刷出力について権限を有する者の所定の操作入力を待ち受ける。
【０１５７】
そして、原稿台カバー１１が開けられてから操作可表示がされる（図１０のＳ４７）までは、本実施例における前述の書類などの原稿を画像として読取ってその画像情報を外部のデータ処理装置やメモリカード、データ通信装置等へ送る場合などと同様である。
【０１５８】
そして、操作可表示（Ｓ５３）の後、本装置の装置制御部２１は、認識制御手段３３で識別されたその操作者について登録されている情報を基に、既に印刷出力の準備が整っている印刷文書にその操作者が所有者であると判断されるものがあれば（Ｓ５４）、画像形成装置１での印刷出力が可能である旨の表示（印刷可表示と呼ぶ）を併せて操作部１８の表示素子に表示する（Ｓ５５）。
【０１５９】
その後、操作者が印刷可表示を確認して、“印刷”キーなどの印刷出力を指示するキー操作を行うと（Ｓ５６）、装置制御部２１は、ラッチ機構の半開状態でのラッチを不可とする（Ｓ５７）。
【０１６０】
そして、操作者が原稿台カバー１１を閉じる以降の、印刷出力の操作、装置動作等については、実施例１と同様である（図８のＳ３７以降）。
【０１６１】
ここで、装置制御部２１の合成制御手段２９によって印刷出力に合成される操作者についての画像には、先に取込んである（Ｓ５８）操作者１７の顔の画像を用いる。また、操作者の生体に係る情報として、認識・識別された操作者の登録されている識別番号などを表わす模様（図形）を合成して印刷出力することもできる。また、ログ制御手段３０によって記憶装置２５に記録される装置の処理履歴情報は、操作者に係る特定情報（本実施例では、認識・識別された操作者の登録されている識別番号、及び、装置設定によっては先に取込んだ（Ｓ５８）操作者１７の顔が含まれた画像）、及び、当該印刷文書に係る特定情報（本実施例では、印刷処理の指示がなされたコンピュータの識別名及びその日時並びに印刷文書名を用いている）としている。
【０１６２】
このように、認識制御手段３３及び機能制御手段３４を備えることにより、操作者の特定が本装置においてでき、操作者１７が自らの印刷文書を示すためにコンピュータ名やそのパスワードなどを入力操作する必要がなくなり、セキュリティ印刷が簡便に行える。
【０１６３】
なお、認識制御手段３３における、生体画像認識のための、及び、操作者の識別のための認識識別制御情報（認識・識別のための参照情報）は、印刷情報、文書情報、画像情報等と共に外部のコンピュータやメモリカード、ファクシミリ装置等から入力されるものとしてもよい。このことで、本装置に認識識別制御情報を予め登録記憶しておく必要がなく、登録されていない新たな者についても装置を機密管理された状態の元で利用できる。また、登録されている場合であっても、現時点での新たな認識識別制御情報を得ることで、認識及び識別の精度を高めることができる。
【０１６４】
（実施例３）
本実施例の情報処理装置（以下、この項において本装置と呼ぶ）は、実施例２の装置に対し、実施例２の装置が操作者の顔を画像認識して操作者を認証したのに対し、操作者の手首より先の手（手の甲若しくは手のひら又は指）を画像認識して操作者を認証するものである。
【０１６５】
図１３は、操作者を生体により認証するときの様子を示す模式断面図で、（ａ）は生体が手の甲の場合を、（ｂ）は生体が指で、その血管像（静脈パターン）による認証の場合を示す。
【０１６６】
以下、図１３を用い、さらに実施例２の説明で用いた図１〜図３及び図５を適宜用いて、説明する。
【０１６７】
本装置の原稿台カバー１１の開閉支持部１６は、原稿台カバー１１を、図３のような全開、及び、図２又は図５のような半開（後述する第二の半開と区別するために本実施例においては第一の半開と呼ぶ）に加え、さらに図１３のような、第一の半開よりも開き量が少ない第二の半開の状態においてもラッチするラッチ機構（図示せず）を有する。そして、このラッチ機構は、実施例２の装置と同様に、装置制御部２１によっても制御されている。
【０１６８】
原稿台カバー１１は、そのラッチ機構により、閉じられている状態（図１）から開けられるとき、第二の半開状態（図１３）においてラッチされ、この時点では、これ以上には開かない規制が掛けられている。その後、その規制が装置制御部２１によって解除されると、さらに開くことが可能となる。そして、さらに開けられるとき、実施例２の装置と同様に、実施例１での説明のように、第一の半開状態（図２）においてはラッチされず、全開状態（図３）になってラッチされる。そして、その後の閉じられる操作によってのみ、第一の半開状態（図２）においてもラッチされる。
【０１６９】
カメラ保持部材１３は、原稿台カバー１１が開けられて図１３に示されるような第二の半開状態になる時、原稿台カバー１１に対して矢印Ａ７及び矢印Ａ８の向きに移動して、カメラ１２を原稿台１５へ（矢印Ａ９）向ける。
【０１７０】
赤外光発光部３５は、静脈を明瞭に撮像するためのもので、原稿台１５の下に備えられ、赤外光を上方へ向けて発光する。
【０１７１】
図１４は、本装置のデータ処理・機器制御に係るブロック構成を示す。
【０１７２】
赤外光発光部３５は、その発光が画像読取り部２０によってオン・オフされる。
【０１７３】
本装置の装置制御部２１における撮像モードは、（表２）に示す、“生体撮像モード”１〜３並びに“原稿撮像モード”１及び２の５つのモードがある。“生体撮像モード２”は手の甲３６又は手のひらの撮像に適した撮像モードで、“生体撮像モード３”は手（指３７）の血管像の撮像に適した撮像モードである。
【０１７４】
【表２】
2006304142.tif 000004
【０１７５】
本装置におけるその他の構成及びデータ処理・機器制御に係るブロック構成は、実施例２の装置と同様である。
【０１７６】
以上のような構成において、次に、本装置のセキュリティ機能を含む主な動作について説明する。
【０１７７】
＜原稿読取り機能＞
まず、書類などの原稿を画像として読取ってその画像情報を外部のデータ処理装置やメモリカード、データ通信装置等へ送る場合について述べる。図１５は、この場合における処理のフローチャートである。以下、図１〜図３、図５、図６及び図１３〜図１５を用いて説明する。
【０１７８】
この場合、画像情報が送られるコンピュータなどのデータ処理装置の準備が必要であれば予めそれ（Ｓ５９）を行った後、操作者は、本装置の操作部１８を操作するために、原稿台カバー１１を開ける（Ｓ６０）。このとき、原稿台カバー１１は図１３のような第二の半開状態でラッチされ、これ以上開かない。原稿台カバー１１が第二の半開状態になると、カメラ保持部材１３は、カメラ１２を、図示されたように、原稿台１５上方が撮像できる向きにする。
【０１７９】
また、制御ユニット１９内の装置制御部２１は、モード制御手段２６が、取付けられた位置センサーでカメラ保持部材１３の位置や方向角度等を検知し、そして、その時の本装置における装置制御の情報（制御情報）と合わせ、撮像の目的と対象を想定して、撮像モードを、操作者の指３７の血管像を撮像して記録するのに最適な“生体撮像モード３”として、赤外光発光部３５での赤外光発光をオンに、被写界（画角）を原稿台１５の範囲に、焦点を原稿台１５上に、解像度（取込み画素数）を中程度にするなどの撮像条件の設定を画像読取り部２０に行って撮像を開始させ（Ｓ６１）、そして、１秒毎に、カメラ１２が撮像している画像を画像取込制御手段２７で取込んで、認識制御手段３３でその画像認識を繰返し行う。
【０１８０】
一方、操作者は、原稿台カバー１１を第二の半開状態に開けた後、原稿台１５上方に手を差し伸べる（図１３の（ａ）又は（ｂ））（Ｓ６２）。
【０１８１】
装置制御部２１は、認識制御手段３３での画像認識の結果が指の血管像ではない生体とされるとき（図１３の（ａ）のような場合）には（Ｓ６３）、モード制御手段２６によって撮像モードを“生体撮像モード２”に切換えて、引続き、画像読取り部２０での撮像と、認識制御手段３３でその画像認識を行う（Ｓ６４）。
【０１８２】
そして、装置制御部２１は、その取込まれた画像が手首より先の手又はその血管像と認識され、かつ、それが予め登録された者の生体であると識別されたとき（Ｓ６５）、原稿台カバー１１が全開状態へ開かないラッチ機構の規制を解除する（Ｓ６６）と共に、その操作者に対して、以降の本装置における一連の処理を可能として、操作可表示を操作部１８の表示素子にて行う（Ｓ６７）。また、装置設定によっては、装置制御部２１は、機能制御手段３４によって、その識別された操作者に専用の表示や装置機能の拡張又は制限を行う（Ｓ６８）。
【０１８３】
ここで、操作者が本装置を操作できる者と識別されないときには、本装置は、操作可表示を行わず、以降原稿台カバー１１が閉じられるまでの間、本装置での処理に係る指示についての操作を無効として、原稿台カバー１１が閉じられるのを待つ（Ｓ６９）。
【０１８４】
一方、操作可表示がされた後、操作者は、それを確認してから、原稿台カバー１１をさらに開けていったん図３のような全開状態にする（Ｓ７０）。
【０１８５】
ここで、原稿台カバー１１が図３のような全開状態になると、実施例１と同様に、カメラ保持部材１３は、カメラ１２を、図示されたように、操作者１７の顔が撮像できる向きにする。また、制御ユニット１９内の装置制御部２１は、モード制御手段２６が、取付けられた位置センサーでカメラ保持部材１３の位置や方向角度等を検知し、そして、その時の本装置における装置制御の情報（制御情報）と合わせ、撮像の目的と対象を想定して、撮像モードを、操作者１７の顔を撮像して記録するのに最適な“生体撮像モード１”とし、その撮像条件の設定を画像読取り部２０に行う（Ｓ７１）。
【０１８６】
続いて、操作者１７は、操作部１８にて、“原稿読取り”キーなどの、原稿の読取り機能を示す所定のキー操作（入力）を行う（Ｓ７２）。
【０１８７】
原稿の読取り機能を示す所定のキー操作を受けて、装置制御部２１は、画像読取り部２０が“生体撮像モード１”の撮像条件で撮像している画像を取込む（Ｓ７３）。この時、カメラ１２は、本装置を操作している操作者１７の顔を捕らえており、取込まれた画像は、操作者１７の顔を含むものとなっている。
【０１８８】
さらに、本装置は、次に原稿台カバー１１が閉じられるときに図５のような第一の半開状態でラッチされるようにラッチ機構の第一の半開状態でのラッチを有効にする（Ｓ７４）。
【０１８９】
そして、原稿台カバー１１を第一の半開状態にする以降の原稿読取りの操作、装置動作等については、実施例２と同様である（図６のＳ８以降）。
【０１９０】
ここで、ログ制御手段３０によって処理履歴情報として記録される操作者についての画像には、操作者１７の顔を画像として取込んであるときにはそれを、操作者１７の顔の画像が取り込まれていないときには、第二の半開状態（図１３）で取込んだ操作者の生体（指３７、手の甲３６など）の画像を用いる。
【０１９１】
このように、手首より先の手についての認識制御手段３３を備えることにより、指３７や手の甲３６などによっても操作者の特定が本装置においてできる。この場合でも、さらに操作者１７の顔の画像を取込むことができ、操作者に係る情報として利用できる。
【０１９２】
＜複写機能＞
次に、書類などの原稿の複写を行う場合について述べる。図１６は、この場合における処理のフローチャートである。以下、図１〜図３、図５〜図７及び図１３〜図１６を用いて説明する。
【０１９３】
この場合も、本実施例における前述の書類などの原稿を画像として読取ってその画像情報を外部のデータ処理装置やメモリカード、データ通信装置等へ送る場合に対して、画像情報が送られるコンピュータなどのデータ処理装置の準備が不要である外は、本装置が、原稿台カバー１１が閉じられるときに図５のような第一の半開状態でラッチされるようにラッチ機構の半開状態でのラッチを有効にする（Ｓ７５）まではほぼ同様である（図１５のＳ６０からＳ７４まで）。
【０１９４】
また、原稿台カバー１１を第一の半開状態にする（図７のＳ５１）以降の原稿複写の操作、装置動作等については、実施例２と同様である。
【０１９５】
ここで、この場合における図７のＳ２１にて、装置制御部２１の合成制御手段２９によって印刷出力に合成される操作者についての画像には、操作者１７の顔を画像として取込んであるときには、それを用いる。また、操作者の生体に係る情報として、認識・識別された操作者の登録されている識別番号などを表わす模様（図形）を合成して印刷出力することもできる。
【０１９６】
このようなことで、書類などの原稿の複写を行う場合についても、前述の書類などの原稿を画像として読取ってその画像情報を外部のデータ処理装置やメモリカード、データ通信装置等へ送る場合と同様の効果が得られる。
【０１９７】
＜プリンタ機能＞
次に、外部のデータ処理装置（コンピュータなど）若しくはメモリカードから文書情報、印刷情報等の文書印刷情報を入力し、又はデータ通信装置（ファクシミリ装置など）から画像情報を入力してその印刷（セキュリティ印刷）を行う場合について述べる。図１７は、この場合における処理のフローチャートである。以下、図１、図３、図８及び図１３〜図１７を用いて説明する。
【０１９８】
本装置も、実施例１と同様に、コンピュータやメモリカード、ファクシミリ装置等から印刷情報、文書情報、画像情報等が本装置に送られてくると、制御ユニット１９内の外部インタフェース部２２が、送られてきた情報を逐次入力し、文書印刷コントローラ２３が、その情報の解釈を行って印刷文書として受付け、解釈される文書情報若しくは印刷情報に基づいてそのビットマップ画像を描画し、又は入力された画像情報に基づいてそれをビットマップ画像に展開して、そのビットマップ画像を画像メモリ２４内に書込んでいく（図８のＳ２５及びＳ２６）。そして、装置制御部２１は、一連の文書についてその印刷出力のための準備が整うと、その印刷出力について権限を有する者の所定の操作入力を待ち受ける。
【０１９９】
そして、原稿台カバー１１を開けてから操作可表示がされる（図１５のＳ６７）までは、本実施例における前述の書類などの原稿を画像として読取ってその画像情報を外部のデータ処理装置やメモリカード、データ通信装置等へ送る場合と同様である。
【０２００】
そして、操作可表示（Ｓ７６）の後、本装置の装置制御部２１は、認識制御手段３３で識別されたその操作者について登録されている情報を基に、既に印刷出力の準備が整っている印刷文書にその操作者が所有者であると判断されるものがあれば（Ｓ７７）、画像形成装置１での印刷出力が可能である旨の表示（印刷可表示と呼ぶ）を併せて操作部１８の表示素子に表示する（Ｓ７８）。
【０２０１】
一方、操作可表示がされた後、操作者は、それを確認してから、原稿台カバー１１をさらに開けていったん図３のような全開状態にする（Ｓ７９）。
【０２０２】
ここで、原稿台カバー１１が図３のような全開状態になると、実施例１と同様に、カメラ保持部材１３は、カメラ１２を、図示されたように、操作者１７の顔が撮像できる向きにする。また、制御ユニット１９内の装置制御部２１は、モード制御手段２６が、取付けられた位置センサーでカメラ保持部材１３の位置や方向角度等を検知し、そして、その時の本装置における装置制御の情報（制御情報）と合わせ、撮像の目的と対象を想定して、撮像モードを、操作者１７の顔を撮像して記録するのに最適な“生体撮像モード１”とし、その撮像条件の設定を画像読取り部２０に行う（Ｓ８０）。
【０２０３】
その後、操作者１７は、操作部１８にて、印刷可表示を確認して、“印刷”キーなどの印刷出力を指示するキー操作を行う（Ｓ８１）。
【０２０４】
印刷出力を指示する所定のキー操作を受けて、装置制御部２１は、画像読取り部２０が“生体撮像モード１”の撮像条件で撮像している画像を画像取込制御手段２７で取込む（Ｓ８２）。この時、カメラ１２は、本装置を操作している操作者１７の顔を捕らえており、取込まれた画像は、操作者１７の顔を含むものとなっている。
【０２０５】
さらに、本装置は、次に原稿台カバー１１が閉じられるときに図２のような第一の半開状態でラッチされないようにラッチ機構の第一の半開状態でのラッチを不可とする（Ｓ８３）。
【０２０６】
そして、原稿台カバー１１を閉じる以降の、印刷出力の操作、装置動作等については、実施例２と同様である（図８のＳ３７以降）。
【０２０７】
ここで、この場合における図８のＳ３８にて、装置制御部２１の合成制御手段２９によって印刷出力に合成される操作者についての画像には、操作者１７の顔を画像として取込んであるときには、それを用いる。また、操作者の生体に係る情報として、認識・識別された操作者の登録されている識別番号などを表わす模様（図形）を合成して印刷出力することもできる。
【０２０８】
このように、手首より先の手についての認識制御手段３３を備えることにより、指３７や手の甲３６などによっても操作者の特定が本装置においてでき、操作者が自らの印刷文書を示すためにコンピュータ名やそのパスワードなどを入力操作する必要がなくなり、セキュリティ印刷が簡便に行える。この場合でも、さらに操作者１７の顔の画像を取込むことができ、操作者に係る情報として利用できる。
【０２０９】
なお、認識制御手段３３における、生体画像認識のための、及び、操作者の識別のための認識識別制御情報（認識・識別のための参照情報）は、印刷情報、文書情報、画像情報等と共に外部のコンピュータやメモリカード、ファクシミリ装置等から入力されるものとしてもよい。このことで、本装置に認識識別制御情報を予め登録記憶しておく必要がなく、登録されていない新たな者についても装置を機密管理された状態の元で利用できる。また、登録されている場合であっても、現時点での新たな認識識別制御情報を得ることで、認識及び識別の精度を高めることができる。
【０２１０】
なお、上述の説明では、操作者は、原稿台カバー１１が全開状態（図３）でキー入力操作を行うものとしたが、操作カバーが第一の半開状態（図２又は図５）でキー入力操作を行うこともできる。また、操作カバーが全開状態で操作者１７の顔を含む画像を取込むものとしたが、装置設定によっては操作者１７の顔を含む画像を取込まず、この場合、処理履歴として記録される生体に係る画像には、第一の半開状態（図１３）で取込まれた手の甲３６、指３７（血管像）などの生体画像を用いる。
【０２１１】
また、操作者が予め登録された者でないときには、本装置は、操作部にて、操作者に、その者の名前などを入力させて、先に取込んだ操作者の手の甲３６などの生体画像と共に追加登録の記録を行うこともできる。このとき、装置設定によっては、操作者１７の顔を含む生体画像を追加登録の情報に含めることもできる。
【０２１２】
（実施例４）
本実施例の情報処理装置（以下、この項において本装置と呼ぶ）の構成は、実施例２の装置と同様である。そこで、実施例２の説明で用いた図１〜図３、図５及び図９を適宜用いて、以下、説明する。
【０２１３】
この構成において、外部のコンピュータ若しくはメモリカードから文書情報、印刷情報等の文書印刷情報を入力し、又はファクシミリ装置などのデータ通信装置から画像情報を入力してその印刷を行う場合について、次に述べる。
【０２１４】
＜プリンタ機能＞
本実施例では、外部のコンピュータやメモリカード、ファクシミリ装置等から入力される文書情報、印刷情報等の文書印刷情報に当該文書印刷情報についての又はそれに基づく印刷出力についての取扱い権限に係る取扱権限情報が含まれている。そして、本装置のセキュリティ印刷では、本装置は、印刷文書のセキュリティレベル毎にその印刷出力について権限を有する者が所定の操作を行った時に、その印刷出力を行うものとしている。この処理のフローチャートを図１８に示す。
【０２１５】
本装置は、外部のコンピュータやメモリカード、ファクシミリ装置等から印刷情報、文書情報、画像情報等が本装置に送られてくると、制御ユニット１９内の外部インタフェース部２２が、送られてきた情報を逐次入力し、文書印刷コントローラ２３が、その情報の解釈を行って印刷文書として受付け、解釈される文書情報若しくは印刷情報に基づいてそのビットマップ画像を描画し、又は入力された画像情報に基づいてそれをビットマップ画像に展開して、そのビットマップ画像を画像メモリ２４内に書込んでいく。そして、装置制御部２１は、一連の文書についてその印刷出力のための準備が整うと、印刷文書に含まれた取扱権限情報を参照して、本印刷文書のセキュリティレベルを調べる（Ｓ８４）。
【０２１６】
そして、セキュリティレベルが“普通”のときは、特にセキュリティに係る処理は行わず、この時点で印刷文書の印刷出力を行う（Ｓ８５）。
【０２１７】
一方、セキュリティレベルが“中”のときは、実施例１におけるセキュリティ印刷と同様で、操作者１７の顔を撮像し、画像として取込んだ後（Ｓ８６）、それをログ制御手段３０によって装置の処理履歴として記録した（Ｓ８７）上で印刷出力を行う（Ｓ８８）。
【０２１８】
一方、セキュリティレベルが“高”のときは、実施例２のセキュリティ印刷と同様に、認識制御手段３３で生体（顔）画像による認識・識別を行った結果（Ｓ９０）、機能制御手段３４によって、操作者が登録された者のときには印刷出力を行う（Ｓ９１）。このとき、操作者は既に登録されている者なので、処理履歴としては、その者の識別番号などの記録で足り、その生体画像を記録することまではしていない。また、機能制御手段３４によって、操作者が登録された者でないときには、印刷権限がないものとして、印刷出力ができないように機能制限する（Ｓ９２）。
【０２１９】
このように、印刷文書に取扱権限情報を含め、それと本装置での認識制御手段３３及び機能制御手段３４とを組合わせることで、印刷文書に応じたセキュリティ印刷の機能が提供でき、また、機密文書における取扱権限情報と操作者に対する画像認識の結果の情報とを照合することで、セキュリティ管理がより確かに、かつ、装置の処理履歴の記録のためのデータ容量も少なくできる。
【０２２０】
上述したプリンタ機能以外については、本装置は実施例２の装置と同様である。
【産業上の利用可能性】
【０２２１】
本発明の情報処理装置は、複写機やファクシミリ装置、プリンタ、そして多機能の情報処理装置であるデジタル複合機等において、ＩＣカードなどの識別カードを必要とせずに、装置利用や機密文書の印刷出力などのセキュリティ管理を行うものとして利用することができる。
【図面の簡単な説明】
【０２２２】
【図１】（ａ）は本発明の情報処理装置の概略の外観の斜視図、（ｂ）は同断面図
【図２】（ａ）は本発明の情報処理装置の原稿台カバーが開けられたとき（半開状態［第一の半開状態とも呼ぶ］）の概略の外観の斜視図、（ｂ）は同断面図
【図３】本発明の情報処理装置において原稿台カバーが全開状態に開けられたときの様子を示す模式断面図
【図４】本発明の実施例１の情報処理装置のデータ処理・機器制御に係るブロック構成図
【図５】（ａ）は本発明の情報処理装置において原稿台上の原稿が撮像されるときの様子を示す模式外観斜視図、（ｂ）は同断面図
【図６】本発明の実施例１の情報処理装置の原稿読取り機能に係る処理フローチャート
【図７】本発明の実施例１の情報処理装置の複写機能に係る処理フローチャート
【図８】本発明の実施例１の情報処理装置のプリンタ機能に係る処理フローチャート
【図９】本発明の実施例２及び４の情報処理装置のデータ処理・機器制御に係るブロック構成図
【図１０】本発明の実施例２の情報処理装置の原稿読取り機能に係る処理フローチャート
【図１１】本発明の実施例２の情報処理装置の複写機能に係る処理フローチャート
【図１２】本発明の実施例２の情報処理装置のプリンタ機能に係る処理フローチャート
【図１３】（ａ）は本発明の情報処理装置の原稿台カバーが第二の半開状態に開けられ、操作者の手の甲が差伸べられたときの様子を示す模式断面図、（ｂ）は同操作者の指が差伸べられたときの様子を示す模式断面図
【図１４】本発明の実施例３の情報処理装置のデータ処理・機器制御に係るブロック構成図
【図１５】本発明の実施例３の情報処理装置の原稿読取り機能に係る処理フローチャート
【図１６】本発明の実施例３の情報処理装置の複写機能に係る処理フローチャート
【図１７】本発明の実施例３の情報処理装置のプリンタ機能に係る処理フローチャート
【図１８】本発明の実施例４の情報処理装置において印刷文書のセキュリティレベルに応じた印刷出力行う場合の処理フローチャート
【符号の説明】
【０２２３】
１    画像形成装置
４    露光装置
１１    原稿台カバー
１２    カメラ
１３    カメラ保持部材
１４    照明
１５    原稿台
１６    開閉支持部（ラッチ機構）
１７    操作者（顔）
１８    操作部
１９    制御ユニット
２０    画像読取り部
２１    装置制御部
２２    外部インタフェース部
２３    文書印刷コントローラ
２４    画像メモリ
２５    記憶装置
２６    モード制御手段
２７    画像取込制御手段
２８    出力制御手段
２９    合成制御手段
３０    ログ制御手段
３１    モニター画像伝送制御手段
３２    原稿
３３    認識制御手段
３４    機能制御手段
３５    赤外光発光部
３６    操作者（手の甲）
３７    操作者（指）
【図１】
2006304142.tif 000005
【図２】
2006304142.tif 000006
【図３】
2006304142.tif 000007
【図４】
2006304142.tif 000008
【図５】
2006304142.tif 000009
【図６】
2006304142.tif 000010
【図７】
2006304142.tif 000011
【図８】
2006304142.tif 000012
【図９】
2006304142.tif 000013
【図１０】
2006304142.tif 000014
【図１１】
2006304142.tif 000015
【図１２】
2006304142.tif 000016
【図１３】
2006304142.tif 000017
【図１４】
2006304142.tif 000018
【図１５】
2006304142.tif 000019
【図１６】
2006304142.tif 000020
【図１７】
2006304142.tif 000021
【図１８】
2006304142.tif 000022